(57)【要約】  睡眠環境制御システム（１０）においては、制御部（９）は、だるさと相関がある生体情報の値とユーザが感じるだるさのレベルとが対応するという前提条件の下で、だるさと相関がある生体情報の値に基づいて、だるさのレベルを判定するだるさ判定部（４）と、だるさ判定部（４）によって判定されただるさのレベルが高くなった場合に、合計風量を減少させるように、送風機（１）を駆動する駆動部（６）と、を含む。
2015141109.tif 000002
【特許請求の範囲】
【請求項１】
風速、風向き、および運転間隔の少なくともいずれか１つを変更することによって、特定方向における単位時間あたりの合計風量を変化させる送風機と、
前記送風機のユーザが感じるだるさと相関がある生体情報を計測する生体計測部と、
前記生体計測部により計測された前記だるさと相関がある生体情報を用いて、前記送風機を制御する制御部とを備え、
前記制御部は、
前記だるさと相関がある生体情報の値と前記ユーザが感じるだるさのレベルとが対応するという前提条件の下で、前記だるさと相関がある生体情報の値に基づいて前記だるさのレベルを判定するだるさ判定部と、
前記だるさ判定部によって判定された前記だるさのレベルが高くなった場合に、前記合計風量を減少させるように、前記送風機を駆動する駆動部と、を備えた、睡眠環境制御システム。
【請求項２】
前記睡眠環境制御システムは、前記ユーザの周囲の環境情報を計測する環境計測部をさらに備え、
前記駆動部は、前記環境計測部によって計測された前記環境情報を取得し、前記環境情報から特定される前記ユーザが感じる不快指数が高いほど前記合計風量が多くなるように、前記合計風量を異なった態様で減少させる、請求項１に記載の睡眠環境制御システム。
【請求項３】
前記生体計測部は、前記送風機のユーザの睡眠状態と相関がある生体情報を計測し、
前記制御部は、前記生体計測部によって計測された前記睡眠状態と相関がある生体情報の値が予め定められた睡眠状態であるか否かを区切る閾値のいずれの側にあるかを判定することによって、前記ユーザが睡眠しているか否かを判定する睡眠状態判定部をさらに備え、
前記制御部は、前記睡眠状態判定部によって前記ユーザが睡眠していると判定された場合に、前記だるさと相関がある生体情報を用いて前記送風機を制御する、請求項１または２に記載の睡眠環境制御システム。
【請求項４】
前記だるさ判定部は、前記だるさと相関がある生体情報の値に基づいて、前記だるさのレベルが予め定められた複数のレベルのうちのいずれに属するのかを判定し、
前記駆動部は、前記だるさ判定部によって判定された前記だるさのレベルが高くなるごとに、前記合計風量を段階的に減少させるように、前記送風機を駆動する、請求項１〜３のいずれかに記載の睡眠環境制御システム。
【請求項５】
前記駆動部は、前記だるさのレベルが低くなるときには、前記だるさのレベルが最も低くなるまで、前記だるさのレベルが低くなる前の前記合計風量を維持し、前記だるさのレベルが最も低くなったときに、最も低い前記だるさのレベルに対応する前記合計風量まで、前記合計風量を一気に増加させるように、前記送風機を駆動する、請求項４に記載の睡眠環境制御システム。
【請求項６】
前記駆動部は、前記だるさのレベルが低くなるごとに、前記合計風量を段階的に増加させるように、前記送風機を駆動する、請求項４に記載の睡眠環境制御システム。
【請求項７】
風速、風向き、および運転間隔の少なくともいずれか１つを変更することによって、特定方向における単位時間あたりの合計風量を変化させる送風機と、
前記送風機のユーザの末梢部分の皮膚温度を計測する生体計測部と、
前記ユーザの周囲の環境情報を計測する環境計測部と、
前記生体計測部により計測された前記末梢部分の皮膚温度と前記環境計測部によって計測された前記環境情報とを用いて、前記送風機を制御する制御部とを備え、
前記制御部は、
複数の前記環境情報が、それぞれ、複数の体幹部分の皮膚温度に関連付けて記憶されたデータベースと、
前記末梢部分の皮膚温度と前記環境情報とに基づいて、前記ユーザが感じるだるさのレベルを判定するだるさ判定部と、
前記だるさ判定部によって判定された結果に基づいて、前記送風機を駆動する駆動部と、を含み、
前記だるさ判定部は、
前記環境情報に関連付けられた前記体幹部分の皮膚温度を前記データベースから抽出し、
前記末梢部分の皮膚温度から前記体幹部分の皮膚温度を引算し、
前記引算された結果の値が大きな値から小さな値へいくほど前記だるさのレベルが高いという前提条件の下で、前記引算された結果の値に基づいて前記だるさのレベルを判定し、
前記駆動部は、前記だるさ判定部によって判定された前記だるさのレベルが高くなった場合に、前記合計風量を減少させるように、前記送風機を駆動する、睡眠環境制御システム。
【請求項８】
前記データベースにおいては、前記複数の環境情報および前記複数の体幹部分の皮膚温度は、複数種類のユーザ属性情報にそれぞれ関連付けられた複数種類のグループに分類されており、
前記睡眠環境制御システムは、前記複数種類のユーザ属性情報のうちのいずれか１つを選択することによって、前記複数種類のグループのうちのいずれか１つのグループを選択するための選択部を備え、
前記だるさ判定部は、前記選択部によって選択された前記１つのグループから、前記環境計測部によって計測された前記環境情報に関連付けられた前記体幹部分の皮膚温度を抽出する、請求項７に記載の睡眠環境制御システム。
【請求項９】
前記データベースにおいては、前記複数の環境情報および前記複数の体幹部分の皮膚温度は、複数種類のユーザ属性情報にそれぞれ関連付けられた複数種類のグループに分類されており、
前記制御部は、前記複数種類のグループが、それぞれ、前記送風機が生成する風の速度がゼロの状態における複数の前記末梢部分の皮膚温度に関連付けられて記憶された他のデータベースをさらに備え、
前記だるさ判定部は、
前記送風機が生成する風の速度がゼロの状態において前記生体計測部によって計測された前記末梢部分の皮膚温度を取得し、
前記複数種類のグループから、前記送風機が生成する風の速度がゼロの状態の前記末梢部分の皮膚温度に関連付けられた１つのグループを選択し、
選択された前記１つのグループから、前記環境計測部によって計測された前記環境情報に関連付けられた前記体幹部分の皮膚温度を抽出する、請求項７に記載の睡眠環境制御システム。
【請求項１０】
前記生体計測部は、前記送風機のユーザの睡眠状態と相関がある生体情報を計測し、
前記制御部は、前記生体計測部によって計測された前記睡眠状態と相関がある生体情報の値が予め定められた睡眠状態であるか否かを区切る閾値のいずれの側にあるかを判定することによって、前記ユーザが睡眠しているか否かを判定する睡眠状態判定部をさらに備え、
前記制御部は、前記睡眠状態判定部によって前記ユーザが睡眠していると判定された場合に、前記末梢部分の皮膚温度と前記環境情報とを用いて、前記送風機を制御する、請求項７〜９のいずれかに記載の睡眠環境制御システム。
【請求項１１】
風速、風向き、および運転間隔の少なくともいずれか１つを変更することによって、特定方向における単位時間あたりの合計風量を変化させる送風機と、
前記送風機のユーザの末梢部分の皮膚温度を計測する生体計測部と、
前記生体計測部により計測された前記末梢部分の皮膚温度と前記送風機が生成する風の速度に対応する前記送風機の駆動状態の情報とを用いて、前記送風機を制御する制御部とを備え、
前記制御部は、
複数の前記送風機の駆動状態の情報が、それぞれ、複数の体幹部分の皮膚温度に関連付けて記憶されたデータベースと、
前記末梢部分の皮膚温度と前記送風機の駆動状態の情報とに基づいて、前記ユーザが感じるだるさのレベルを判定するだるさ判定部と、
前記だるさ判定部によって判定された結果に基づいて、前記送風機を駆動する駆動部と、を含み、
前記だるさ判定部は、
前記駆動部によって駆動されている前記送風機の駆動状態の情報を取得し、
前記送風機の駆動状態の情報に関連付けられた前記体幹部分の皮膚温度を前記データベースから抽出し、
前記末梢部分の皮膚温度から前記体幹部分の皮膚温度を引算し、
引算された結果の値が大きな値から小さな値へいくほど前記だるさのレベルが高いという前提条件の下で、前記引算された結果の値に基づいて前記だるさのレベルを判定し、
前記駆動部は、前記だるさ判定部によって判定された前記だるさのレベルが高くなった場合に、前記合計風量を減少させるように、前記送風機を駆動する、睡眠環境制御システム。
【請求項１２】
前記データベースにおいては、前記複数の送風機の駆動状態の情報および前記複数の体幹部分の皮膚温度は、複数種類のユーザ属性情報にそれぞれ関連付けられた複数種類のグループに分類されており、
前記睡眠環境制御システムは、前記複数種類のユーザ属性情報のうちのいずれか１つを選択することによって、前記複数種類のグループのうちのいずれか１つのグループを選択するための選択部を備え、
前記だるさ判定部は、前記選択部によって選択された前記１つのグループから、前記送風機の駆動状態の情報に関連付けられた前記体幹部分の皮膚温度を抽出する、請求項１１に記載の睡眠環境制御システム。
【請求項１３】
前記データベースにおいては、前記複数の送風機の駆動状態の情報および前記複数の体幹部分の皮膚温度は、複数種類のユーザ属性情報にそれぞれ関連付けられた複数種類のグループに分類されており、
前記制御部は、前記複数種類のグループが、それぞれ、前記送風機が生成する風の速度がゼロの状態における複数の前記末梢部分の皮膚温度に関連付けられて記憶された他のデータベースをさらに備え、
前記だるさ判定部は、
前記送風機が生成する風の速度がゼロの状態において前記生体計測部によって計測された前記末梢部分の皮膚温度を取得し、
前記複数種類のグループから、前記末梢部分の皮膚温度に関連付けられた１つのグループを選択し、
選択された前記１つのグループから、前記送風機の駆動状態に関連付けられた前記体幹部分の皮膚温度を抽出する、請求項１１に記載の睡眠環境制御システム。
【請求項１４】
前記生体計測部は、前記送風機のユーザの睡眠状態と相関がある生体情報を計測し、
前記制御部は、前記生体計測部により計測された前記睡眠状態と相関がある生体情報の値が予め定められた睡眠状態であるか否かを区切る閾値のいずれの側にあるかを判定することによって、前記ユーザが睡眠しているか否かを判定する睡眠状態判定部をさらに備え、
前記制御部は、前記睡眠状態判定部によって前記ユーザが睡眠していると判定された場合に、前記末梢部分の皮膚温度と前記送風機の駆動状態の情報とを用いて、前記送風機を制御する、請求項７〜１３のいずれかに記載の睡眠環境制御システム。
【請求項１５】
前記だるさ判定部は、前記引算された結果の値に基づいて、前記だるさのレベルが予め定められた複数のレベルのうちのいずれに属するのかを判定し、
前記駆動部は、前記だるさ判定部によって判定された前記だるさのレベルが高くなるごとに、前記合計風量を段階的に減少させるように、前記送風機を駆動する、請求項７〜１４のいずれかに記載の睡眠環境制御システム。
【請求項１６】
前記駆動部は、前記だるさのレベルが低くなるときには、前記だるさのレベルが最も低くなるまで、前記だるさのレベルが低くなる前の前記合計風量を維持し、前記だるさのレベルが最も低くなったときに、最も低い前記だるさのレベルに対応する前記合計風量まで、前記合計風量を一気に増加させるように、前記送風機を駆動する、請求項１５に記載の睡眠環境制御システム。
【請求項１７】
前記駆動部は、前記だるさのレベルが低くなるごとに、前記合計風量を段階的に増加させるように、前記送風機を駆動する、請求項１５に記載の睡眠環境制御システム。
【請求項１８】
風速、風向き、および運転間隔の少なくともいずれか１つを変更することによって、特定方向における単位時間あたりの合計風量を変化させる送風機と、
前記送風機のユーザが感じるだるさと相関がある生体情報を計測する生体計測部と、
前記生体計測部により計測された前記だるさと相関がある生体情報を用いて、前記送風機を制御する制御部と、
を備えた睡眠環境制御システムに設けられた前記制御部としてのコンピュータを、
前記だるさと相関がある生体情報の値と前記ユーザが感じるだるさのレベルとが対応するという前提条件の下で、前記だるさと相関がある生体情報の値に基づいて前記だるさのレベルを判定するだるさ判定部、および、
前記だるさ判定部によって判定された前記だるさのレベルが高くなった場合に、前記合計風量を減少させるように前記送風機を駆動する駆動部、
として機能させるための睡眠環境制御プログラム。
【請求項１９】
風速、風向き、および運転間隔の少なくともいずれか１つを変更することによって、特定方向における単位時間あたりの合計風量を変化させる送風機と、
前記送風機のユーザの末梢部分の皮膚温度を計測する生体計測部と、
前記ユーザの周囲の環境情報を計測する環境計測部と、
前記生体計測部により計測された前記末梢部分の皮膚温度と前記環境計測部によって計測された前記環境情報とを用いて、前記送風機を制御する制御部と、
を備えた睡眠環境制御システムに設けられた前記制御部としてのコンピュータを、
複数の前記環境情報が、それぞれ、複数の体幹部分の皮膚温度に関連付けて記憶されたデータベース、
前記末梢部分の皮膚温度と前記環境情報とに基づいて、前記ユーザが感じるだるさのレベルを判定するだるさ判定部、および、
前記だるさ判定部によって判定された結果に基づいて、前記送風機を駆動する駆動部、
として機能させるための睡眠環境制御プログラムであって、
前記だるさ判定部は、
前記環境情報に関連付けられた前記体幹部分の皮膚温度を前記データベースから抽出し、
前記末梢部分の皮膚温度から前記体幹部分の皮膚温度を引算し、
引算された結果の値が大きな値から小さな値へいくほど前記だるさのレベルが高いという前提条件の下で、前記引算された結果の値に基づいて前記だるさのレベルを判定し、
前記駆動部は、前記だるさ判定部によって前記だるさのレベルが高くなったと判定された場合に、前記合計風量を減少させるように、前記送風機を駆動する、睡眠環境制御プログラム。
【請求項２０】
風速、風向き、および運転間隔の少なくともいずれか１つを変更することによって、特定方向における単位時間あたりの合計風量を変化させる送風機と、
前記送風機のユーザの末梢部分の皮膚温度を計測する生体計測部と、
前記生体計測部により計測された前記末梢部分の皮膚温度と前記送風機が生成する風の速度に対応する前記送風機の駆動状態の情報とを用いて、前記送風機を制御する制御部と、
を備えた睡眠環境制御システムに設けられた前記制御部としてのコンピュータを、
複数の前記送風機の駆動状態の情報が、それぞれ、複数の体幹部分の皮膚温度に関連付けて記憶されたデータベース、
前記末梢部分の皮膚温度と前記送風機の駆動状態の情報とに基づいて、前記ユーザが感じるだるさのレベルを判定するだるさ判定部、および、
前記だるさ判定部によって判定された結果に基づいて、前記送風機を駆動する駆動部、
として機能させるための睡眠環境制御プログラムであって、
前記だるさ判定部は、
前記駆動部によって駆動されている前記送風機の駆動状態の情報を取得し、
前記送風機の駆動状態の情報に関連付けられた前記体幹部分の皮膚温度を前記データベースから抽出し、
前記末梢部分の皮膚温度から前記体幹部分の皮膚温度を引算し、
引算された結果の値が大きな値から小さな値へいくほど前記だるさのレベルが高いという前提条件の下で、前記引算された結果の値に基づいて前記だるさのレベルを判定し、
前記駆動部は、前記だるさ判定部によって判定された前記だるさのレベルが高くなった場合に、前記合計風量を減少させるように、前記送風機を駆動する、睡眠環境制御プログラム。
【発明の詳細な説明】
【技術分野】
【０００１】
本発明は、ユーザが睡眠しているときにそのユーザの周辺環境を制御する睡眠環境制御システムおよびそれに用いられる睡眠環境制御プログラムに関する。
【背景技術】
【０００２】
特許文献１には、吹き出し気流の温度を変更する気流温度制御部を含む空気調和装置が開示されている。この空気調和装置は、気流温度制御部によって、室内の雰囲気の温度を制御している。
【先行技術文献】
【特許文献】
【０００３】
【特許文献１】特開２００１−１０８２７８号公報
【発明の概要】
【発明が解決しようとする課題】
【０００４】
上述した特許文献１の空気調和装置は、気流温度制御部によって吹き出し気流の温度を変化させることにより、室内雰囲気の温度を調整している。そのため、ユーザが睡眠状態になっているときに、空気調和装置を連続的に使用した場合には、ユーザが起床時にだるさを感じてしまうという問題が生じる。【０００５】
そこで、本発明は、上述した実情に鑑みて提案されたものであり、ユーザが起床時にだるさを感じてしまうことを抑制することができる睡眠環境制御システムおよびそれに用いられる睡眠環境制御プログラムを提供することを目的とする。
【課題を解決するための手段】
【０００６】
本発明の第１の局面の睡眠環境制御システムは、風速、風向き、および運転間隔の少なくともいずれか１つを変更することによって、特定方向における単位時間あたりの合計風量を変化させる送風機と、前記送風機のユーザが感じるだるさと相関がある生体情報を計測する生体計測部と、前記生体計測部により計測された前記だるさと相関がある生体情報を用いて、前記送風機を制御する制御部とを備え、前記制御部は、前記だるさと相関がある生体情報の値と前記ユーザが感じるだるさのレベルとが対応するという前提条件の下で、前記だるさと相関がある生体情報の値に基づいて前記だるさのレベルを判定するだるさ判定部と、前記だるさ判定部によって判定された前記だるさのレベルが高くなった場合に、前記合計風量を減少させるように、前記送風機を駆動する駆動部と、を備えている。【０００７】
本発明の第２の局面の睡眠環境制御システムは、風速、風向き、および運転間隔の少なくともいずれか１つを変更することによって、特定方向における単位時間あたりの合計風量を変化させる送風機と、前記送風機のユーザの末梢部分の皮膚温度を計測する生体計測部と、前記ユーザの周囲の環境情報を計測する環境計測部と、前記生体計測部により計測された前記末梢部分の皮膚温度と前記環境計測部によって計測された前記環境情報とを用いて、前記送風機を制御する制御部とを備え、前記制御部は、複数の前記環境情報が、それぞれ、複数の体幹部分の皮膚温度に関連付けて記憶されたデータベースと、前記末梢部分の皮膚温度と前記環境情報とに基づいて、前記ユーザが感じるだるさのレベルを判定するだるさ判定部と、前記だるさ判定部によって判定された結果に基づいて、前記送風機を駆動する駆動部と、を含み、前記だるさ判定部は、前記環境情報に関連付けられた前記体幹部分の皮膚温度を前記データベースから抽出し、前記末梢部分の皮膚温度から前記体幹部分の皮膚温度を引算し、引算された結果の値が大きな値から小さな値へいくほど前記だるさのレベルが高いという前提条件の下で、前記引算された結果の値に基づいて前記だるさのレベルを判定し、前記駆動部は、前記だるさ判定部によって判定された前記だるさのレベルが高くなった場合に、前記合計風量を減少させるように、前記送風機を駆動する。【０００８】
本発明の第３の局面の睡眠環境制御システムは、風速、風向き、および運転間隔の少なくともいずれか１つを変更することによって、特定方向における単位時間あたりの合計風量を変化させる送風機と、前記送風機のユーザの末梢部分の皮膚温度を計測する生体計測部と、前記生体計測部により計測された前記末梢部分の皮膚温度と前記送風機が生成する風の速度に対応する前記送風機の駆動状態の情報とを用いて、前記送風機を制御する制御部とを備え、前記制御部は、複数の前記送風機の駆動状態の情報が、それぞれ、複数の体幹部分の皮膚温度に関連付けて記憶されたデータベースと、前記末梢部分の皮膚温度と前記送風機の駆動状態の情報とに基づいて、前記ユーザが感じるだるさのレベルを判定するだるさ判定部と、前記だるさ判定部によって判定された結果に基づいて、前記送風機を駆動する駆動部と、を含み、前記だるさ判定部は、前記駆動部によって駆動されている前記送風機の駆動状態の情報を取得し、前記送風機の駆動状態の情報に関連付けられた前記体幹部分の皮膚温度を前記データベースから抽出し、前記末梢部分の皮膚温度から前記体幹部分の皮膚温度を引算し、引算された結果の値が大きな値から小さな値へいくほど前記だるさのレベルが高いという前提条件の下で、前記引算された結果の値に基づいて前記だるさのレベルを判定し、前記駆動部は、前記だるさ判定部によって判定された前記だるさのレベルが高くなった場合に、前記合計風量を減少させるように、前記送風機を駆動する。【０００９】
第１の局面の睡眠環境制御プログラムは、風速、風向き、および運転間隔の少なくともいずれか１つを変更することによって、特定方向における単位時間あたりの合計風量を変化させる送風機と、前記送風機のユーザが感じるだるさと相関がある生体情報を計測する生体計測部と、前記生体計測部により計測された前記だるさと相関がある生体情報を用いて、前記送風機を制御する制御部と、を備えた睡眠環境制御システムに設けられた前記制御部としてのコンピュータを、前記だるさと相関がある生体情報の値と前記ユーザが感じるだるさのレベルとが対応するという前提条件の下で、前記だるさと相関がある生体情報の値に基づいて前記だるさのレベルを判定するだるさ判定部、および、前記だるさ判定部によって判定された前記だるさのレベルが高くなった場合に、前記合計風量を減少させるように前記送風機を駆動する駆動部、として機能させるためものである。【００１０】
第２の局面の睡眠環境制御プログラムは、風速、風向き、および運転間隔の少なくともいずれか１つを変更することによって、特定方向における単位時間あたりの合計風量を変化させる送風機と、前記送風機のユーザの末梢部分の皮膚温度を計測する生体計測部と、前記ユーザの周囲の環境情報を計測する環境計測部と、前記生体計測部により計測された前記末梢部分の皮膚温度と前記環境計測部によって計測された前記環境情報とを用いて、前記送風機を制御する制御部と、を備えた睡眠環境制御システムに設けられた前記制御部としてのコンピュータを、複数の前記環境情報が、それぞれ、複数の体幹部分の皮膚温度に関連付けて記憶されたデータベース、前記末梢部分の皮膚温度と前記環境情報とに基づいて、前記ユーザが感じるだるさのレベルを判定するだるさ判定部、および、前記だるさ判定部によって判定された結果に基づいて、前記送風機を駆動する駆動部、として機能させるための睡眠環境制御プログラムであって、前記だるさ判定部は、前記環境情報に関連付けられた前記体幹部分の皮膚温度を前記データベースから抽出し、前記末梢部分の皮膚温度から前記体幹部分の皮膚温度を引算し、引算された結果の値が大きな値から小さな値へいくほど前記だるさのレベルが高いという前提条件の下で、前記引算された結果の値に基づいて前記だるさのレベルを判定し、前記駆動部は、前記だるさ判定部によって前記だるさのレベルが高くなったと判定された場合に、前記合計風量を減少させるように、前記送風機を駆動する。【００１１】
第３の局面の睡眠環境制御プログラムは、風速、風向き、および運転間隔の少なくともいずれか１つを変更することによって、特定方向における単位時間あたりの合計風量を変化させる送風機と、前記送風機のユーザの末梢部分の皮膚温度を計測する生体計測部と、前記生体計測部により計測された前記末梢部分の皮膚温度と前記送風機が生成する風の速度に対応する前記送風機の駆動状態の情報とを用いて、前記送風機を制御する制御部と、を備えた睡眠環境制御システムに設けられた前記制御部としてのコンピュータを、複数の前記送風機の駆動状態の情報が、それぞれ、複数の体幹部分の皮膚温度に関連付けて記憶されたデータベース、前記末梢部分の皮膚温度と前記送風機の駆動状態の情報とに基づいて、前記ユーザが感じるだるさのレベルを判定するだるさ判定部、および、前記だるさ判定部によって判定された結果に基づいて、前記送風機を駆動する駆動部、として機能させるための睡眠環境風プログラムであって、前記だるさ判定部は、前記駆動部によって駆動されている前記送風機の駆動状態の情報を取得し、前記送風機の駆動状態の情報に関連付けられた前記体幹部分の皮膚温度を前記データベースから抽出し、前記末梢部分の皮膚温度から前記体幹部分の皮膚温度を引算し、引算された結果の値が大きな値から小さな値へいくほど前記だるさのレベルが高いという前提条件の下で、前記引算された結果の値に基づいて前記だるさのレベルを判定し、前記駆動部は、前記だるさ判定部によって判定された前記だるさのレベルが高くなった場合に、前記合計風量を減少させるように、前記送風機を駆動する。
【発明の効果】
【００１２】
本発明によれば、ユーザが起床時にだるさを感じてしまうことを抑制することができる。
【図面の簡単な説明】
【００１３】
【図１】本発明の実施の形態１の睡眠環境制御システムの構成を示すブロック図である。
【図２】本発明の実施の形態１の睡眠環境制御システムの全体概要の第１の例を示す模式図である。
【図３】本発明の実施の形態１の睡眠環境制御システムの生体計測部の第１の例のリストバンドを示す図である。
【図４】本発明の実施の形態１の睡眠環境制御システムの全体概要の第２の例を示す模式図である。
【図５】本発明の実施の形態１の睡眠環境制御システムの生体計測部の第２の例の寝具上に敷かれたマット型のセンサを示す図である。
【図６】本発明の実施の形態１の睡眠環境制御システムの全体概要の第３の例を示す模式図である。
【図７】本発明の実施の形態１の睡眠環境制御システムの生体計測部の第３の例のサーモグラフィセンサを示す図である。
【図８】本発明の実施の形態１の睡眠環境制御システムの全体概要の第４の例を示す模式図である。
【図９】本発明の実施の形態１の睡眠環境制御システムの生体計測部の第４の例の携帯型の通信機器を示す図である。
【図１０】本発明の実施の形態１の睡眠環境制御システムの使用時におけるユーザの体動および体温と送風機の特定方向における単位時間あたり合計風量との関係とを示す図である。図１０において、グラフ（ａ）は体動と時間との関係を示し、グラフ（ｂ）は体温と時間との関係を示し、グラフ（ｃ）は風量と時間との関係を示す。
【図１１】本発明の実施の形態１の睡眠環境制御システムの変形例１の使用時におけるユーザの体動および体温と送風機の特定方向における単位時間あたり合計風量との関係とを示す図である。図１１において、グラフ（ａ）は体動と時間との関係を示し、グラフ（ｂ）は体温と時間との関係を示し、グラフ（ｃ）は風量と時間との関係を示す。
【図１２】気温と湿度との組合せによって特定される不快指数と風量との関係を示す図である。
【図１３】発明の実施の形態１の睡眠環境制御システムの変形例２の使用時におけるユーザの体動および体温と送風機の特定方向における単位時間あたり合計風量との関係とを示す図である。図１３において、グラフ（ａ）は体動と時間との関係を示し、グラフ（ｂ）は体温と時間との関係を示し、グラフ（ｃ）は風量と時間との関係を示す。
【図１４】発明の実施の形態１の睡眠環境制御システムの変形例３の使用時におけるユーザの体動および体温と送風機の特定方向における単位時間あたり合計風量との関係とを示す図である。図１４において、グラフ（ａ）は体動と時間との関係を示し、グラフ（ｂ）は体温と時間との関係を示し、グラフ（ｃ）は風量と時間との関係を示す。
【図１５】睡眠の深さと時間との関係の例を示す図である。
【図１６】本発明の実施の形態１の睡眠環境制御システムに備えられたコンピュータにおいて実行される睡眠環境制御処理１を説明するためのフローチャートである。
【図１７】本発明の実施の形態１の睡眠環境制御システムにおいて用いられる環境情報のごとの生体情報（体温）、だるさのレベル、および合計風量の関係を示す図である。
【図１８】本発明の実施の形態２−１の睡眠環境制御システムの構成を示すブロック図である。
【図１９】本発明の実施の形態２−１の睡眠環境制御システムに備えられたコンピュータに内蔵されたデータベースを示す図である。データベースにおいては、ユーザの属性情報に対応したグループごとのデータテーブルが格納されている。データテーブルにおいては、環境情報（風速）と体幹部分の皮膚温度とが関連付けられている。
【図２０】本発明の実施の形態２−１の睡眠環境制御システムにおいて用いられる末梢部分の皮膚温度から体幹部分の皮膚温度を引いた値、だるさのレベル、および合計風量の関係を示す図である。
【図２１】ユーザの属性情報を選択するための選択部の一例の模式図である。
【図２２】だるさのレベルと皮膚温度の差（末梢部分の皮膚温度−体幹部分の皮膚温度）との関係を示すグラフである。
【図２３】体幹部分の皮膚温度と風速との関係を示すグラフである。
【図２４】本発明の実施の形態２−１の睡眠環境制御システムに備えられたコンピュータにおいて実行される睡眠環境制御処理２−１を説明するためのフローチャートである。
【図２５】本発明の実施の形態２−２の睡眠環境制御システムの構成を示すブロックズである。
【図２６】本発明の実施の形態２−２の睡眠環境制御システムに備えられたコンピュータにおいて実行される睡眠環境制御処理２−２を説明するためのフローチャートである。
【図２７】本発明の実施の形態２−３の睡眠環境制御システムを説明するためのブロック図である。
【図２８】本発明の実施の形態２−３の睡眠環境制御システムにおいて制御部がユーザの属性情報を推測するために用いられるデータベースＤＢ２を説明するための図である。
【図２９】本発明の実施の形態２−３の睡眠環境制御システムに備えられたコンピュータにおいて実行される睡眠環境制御処理２−３を説明するためのフローチャートである。
【図３０】本発明の実施の形態２−４の睡眠環境制御システムを説明するためのブロック図である。
【図３１】本発明の実施の形態２−４の睡眠環境制御システムに備えられたコンピュータにおいて実行される睡眠環境制御処理２−４を説明するためのフローチャートである。
【発明を実施するための形態】
【００１４】
以下、図面を参照しながら、本発明の実施の形態の睡眠環境制御システムおよびそれに用いられる睡眠環境制御プログラムを説明する。
【００１５】
（実施の形態１）
図１に示されるように、本発明の実施の形態１の睡眠環境制御システム１０は、送風機１、生体計測部２、環境計測部３、および制御部９を備えている。制御部９は、だるさ判定部４、睡眠状態判定部５、駆動部６、および、記憶部７を含む。制御部９は、生体計測部２および環境計測部３のそれぞれから得られた情報に基づいて、送風機１を制御するコンピュータとして機能する。本発明の実施の形態１の睡眠環境制御システム１０に用いられる睡眠環境制御プログラム７ａは、記憶部７に記憶されている。
【００１６】
本実施の形態においては、制御部９の全ての部分が送風機１に内蔵されているものとする。ただし、制御部９の一部または全部が送風機１の外部にあってもよい。たとえば、制御部９のうち、だるさ判定部４および睡眠状態判定部５が生体計測部２に内蔵され、駆動部６のみが送風機１に内蔵されていてもよい。また、だるさ判定部４および睡眠状態判定部５が、リモートコントローラに内蔵され、駆動部６のみが送風機１に内蔵されていてもよい。この場合、リモートコントローラは、生体計測部２から送信されてきた信号を受信し、だるさのレベルの判定および睡眠状態か否かの判定を行う。駆動部６は、それらの判定結果に基づいて送風機１を制御する。
【００１７】
以上からから分かるように、制御部９は、生体計測部２および環境計測部３のそれぞれから得られた情報に基づいて、送風機１を制御するコンピュータとして機能するものであればいかなるものであってもよい。具体的には、制御部９は、一体化された単一構造を有していても、また、物理的に分離された複数の構造を有していてもよい。
【００１８】
本実施の形態の睡眠環境制御システム１０は、いわゆる扇風機と呼ばれる、複数枚の扇型の羽根を有する送風機１を有するものである。扇風機は、駆動部６として、回転中心軸まわりに回転する複数枚の羽根を駆動させるモータと、そのモータの回転動作を制御するためのモータ制御回路とを備えている。また、扇風機は、羽根の回転中心軸を振り子のように往復させる、いわゆる首振り機能を有している。ただし、本発明の睡眠環境制御システムに用いられる送風機は、扇風機に限定されず、特定の方向における単位時間あたりの合計風量を制御することができる機器であれば、いかなる構造を有するものであってもよい。
【００１９】
前述の送風機１の一例としての扇風機は、風速、風向き、および運転間隔のうちの少なくともいずれか１つを制御することが可能である。したがって、送風機１の特定の方向における単位時間あたりの合計風量が調節される。本実施の形態の送風機１は、扇風機であるため、羽根部の回転中心軸が延びる方向が前述の特定の方向である。この方向は、一般に、送風機１のユーザに向かう方向である場合が多い。ユーザには、人のみならず、犬または猫等の、人と同様に起床時にだるさを感じる動物も含まれる。
【００２０】
具体的には、送風機１は、羽根の回転数を増減させることにより、風速を変更することができる。これにより、送風機１は、特定の方向における単位時間あたりの合計風量を増減することができる。また、送風機１は、羽根の回転中心軸が延びる方向を所定の角度の範囲内において往復運動させる、いわゆる首振り運動により、風向きを変更することができる。これによっても、送風機１は、特定の方向における単位時間あたりの合計風量を増減することができる。さらに、送風機１は、羽根の回転を継続させる時間と羽根の回転を停止させる時間との比率を変更することができる。つまり、送風機１は、自身の運転間隔を変更することができる。これによっても、送風機１は、特定の方向における単位時間あたりの合計風量を増減することができる。
【００２１】
以上から分かるように、送風機１は、風速、風向き、および運転間隔の少なくとも１つを変更することにより、特定の方向における単位時間あたりの合計風量を段階的に増減させることができる。
【００２２】
一般には、「風量」と呼ばれる値は、送風機１の羽根の回転速度および羽根の形状および大きさのみに依存するものを意味する場合もある。つまり、一般には、「風量」と呼ばれる値は、送風機１の運転間隔の変更および風向きの変更がないことを前提とした値として用いられる場合もある。したがって、この一般に「風量」と呼ばれる値と区別するために、本明細書においては、送風機１の風速の変更に加えて、送風機１の運転間隔の変更および風向きの変更を考慮したときの風量を、「特定の方向における単位時間あたりの合計風量」と呼ぶ。ただし、明細書の記載を簡便にするために、「特定の方向における単位時間あたりの合計風量」を単に「合計風量」と呼ぶ。「合計風量」は、前述のように、風速、風向き、および運転間隔の少なくとも１つを変更することにより変更され得る値である。
【００２３】
以後において詳細に述べられるように、本実施の形態の睡眠環境制御システム１０は、送風機１の合計風量を複数回段階的に増減させるものである。しかしながら、本発明の睡眠環境制御システムは、合計風量を１回だけ段階的に増減させるものであってもよい。また、本発明の睡眠環境制御システムは、送風機１の合計風量を連続的に増減させるものであってもよい。
【００２４】
生体計測部２は、ユーザの生体情報を計測する。特に、生体計測部２は、睡眠中におけるユーザの生体情報を所定期間ごとに検出する。この生体計測部２により検出された生体情報は、だるさ判定部４および睡眠状態判定部５のそれぞれに送られる。
【００２５】
生体計測部２によって検出される生体情報は、ユーザが感じるだるさと相関がある生体情報を含んでいる。また、生体計測部２によって検出される生体情報は、ユーザの睡眠状態と相関がある生体情報を含んでいる。ただし、本発明の睡眠環境制御システムは、ユーザのだるさと相関がある生体情報のみを生体計測部２によって計測してもよい。つまり、本発明の睡眠環境制御システムは、睡眠状態判定部５を備えていなくてもよい。
【００２６】
ユーザが感じるだるさと相関がある生体情報としては、血流、代謝、呼吸、脳波、筋電、体温、皮膚温度、唾液、眼球運動、体内水分量、心拍、および体動が挙げられる。本実施の形態においては、後述されるように、だるさと相関がある生体情報として体温が使用される。
【００２７】
ユーザの睡眠状態と相関がある生体情報としては、ユーザのだるさと相関がある生体情報と同様の情報が挙げられる。つまり、ユーザの睡眠状態と相関がある生体情報としても、血流、代謝、呼吸、脳波、筋電、体温、皮膚温度、唾液、眼球運動、体内水分量、心拍、および体動が挙げられる。本実施の形態においては、後述されるように、睡眠状態と相関がある生体情報として体動が使用される。
【００２８】
上記した情報のうちの同一の情報が、ユーザが感じるだるさと相関がある生体情報として用いられ、かつ、ユーザの睡眠状態と相関がある生体情報としても用いられてもよい。この場合、生体計測部２は、１つのセンサ機能のみを有していればよいため、その構成がシンプルになる。
【００２９】
図２および図３に示されるように、生体計測部２は、たとえば、だるさと相関がある生体情報を計測することができるセンサを備えたリストバンドが挙げられる。このリストバンドには、たとえば、加速度センサ、体温センサ、および皮膚温度センサが取り付けられる。生体計測部２がリストバンドに組み込まれている場合、生体計測部２は、体温、皮膚温度、体動、血流、血圧、および心拍等を計測することができる。さらに、リストバンドは、バッテリおよび近距離無線通信部を備える。このような生体計測部２は、各種センサにより検出されたセンサ値を近距離無線通信部から制御部９へ送信する。制御部９は、だるさ判定部４および睡眠状態判定部５を備えている。したがって、生体計測部２によって計測された生体情報は、だるさ判定部４および睡眠状態判定部５へ送られる。
【００３０】
なお、生体計測部２は、リストバンドに限らず、腹巻型のバンド（図示せず）であってもよい。腹巻型のバンドの場合、生体計測部２は、体表面温度、心拍、血流、血圧、呼吸、および体動を検出することができる。この場合も、生体計測部２によって計測された生体情報がだるさ判定部４および睡眠状態判定部５へ送られる。
【００３１】
図４および図５に示されるように、生体計測部２は、寝具上に敷かれたマット型のセンサであってもよい。マット型のセンサを用いた場合、生体計測部２は、寝床内温度、心拍、および体動を検出することができる。この場合も、生体計測部２は、各種センサにより検出されたセンサ値を近距離無線通信部から送信する。ただし、生体計測部２は、たとえば、携帯型の通信機器（スマートフォン、タブレット等）を含んでおり、各種センサからのセンサ値が一旦携帯型の通信機器によって受信され、携帯型の通信機器から制御部９へ送信されてもよい。この場合も、制御部９は、だるさ判定部４および睡眠状態判定部５を備えており、生体計測部２によって計測された生体情報がだるさ判定部４および睡眠状態判定部５へ送られる。
【００３２】
図６および図７に示されるように、生体計測部２は、カメラ型のセンサを備えていてもよい。このカメラ型のセンサは、ユーザの体温およびユーザの周辺雰囲気の温度を検出するサーモグラフィが挙げられる。これにより、生体計測部２は、対象物から出ている赤外線放射エネルギーを検出して、その赤外線放射エネルギーを生体情報に変換する。生体計測部２がサーモグラフィを有する場合、生体計測部２は、体表面温度および体動を検出することができる。
【００３３】
図８および図９に示されるように、生体計測部２は、生体情報を直接的に検出しなくてもよい。つまり、生体計測部２は、たとえば、携帯通信機器の外部モジュールによって、生体（ユーザ）付近の環境情報を得るものであってもよい。この環境情報としては、寝床の表面加速度、ＣＯ2濃度、風速、室内温度、壁等の輻射温度、および気流が挙げられる。生体計測部２は、得られた環境情報からユーザの体動を推定することもできる。生体情報は、それを計測することが可能な生体計測部であれば、いかなる生体計測部によって計測されてもよい。
【００３４】
また、眼球運動は、目の周囲に装着された一対の電極を有する生体計測部２により、眼球の移動にともなって電極間に生じる電位差の変化に基づいて計測することができる。脳波は、生体計測部２としてのヘッドギアに内蔵されたセンサにより計測することができる。唾液は、生体計測部２としての口内に差し込まれた唾液の成分を検出するセンサにより計測することができる。筋電は、生体計測部２としての二の腕に巻かれたバンドセンサによって計測することができる。体内水分量は、身体に装着された１対の電極を有する生体計測部２によって、水分量に応じて電極間に生じる電位差に基づいて計測することができる。
【００３５】
環境計測部３は、ユーザ周囲の環境情報を計測する。環境計測部３は、環境情報としてユーザがいる室内の温度および湿度等を検出する。環境計測部３は、検出した環境情報を制御部９に送信する。この場合、環境計測部３は、温度センサおよび湿度センサを含み、得られた温度情報および湿度情報等の環境情報を制御部９へ送信するものであれば、いかなるものであってもよい。また、生体計測部２と同様に、たとえば、図９に示されるような携帯通信機器の外部モジュールによって、生体（ユーザ）付近の環境情報を得るものであってもよい。
【００３６】
既に述べたように、図１に示される制御部９は、だるさ判定部４、睡眠状態判定部５、駆動部６、および、記憶部７を含む。
【００３７】
だるさ判定部４は、生体計測部２により計測されただるさと相関がある生体情報の値に基づいて、だるさのレベルを判定する。具体的には、だるさ判定部４は、だるさと相関がある生体情報の値に基づいて、だるさのレベルが予め定められた複数のレベルのうちのいずれに属するのかを判定する。本実施の形態においては、だるさ判定部４は、だるさと相関がある生体情報の値とユーザが感じるだるさのレベルとが対応するという前提条件の下で、だるさと相関がある生体情報の値に基づいてだるさのレベルを判定する。
【００３８】
だるさと相関がある生体情報の値とユーザが感じるだるさのレベルとが対応する場合の例として、本実施の形態のように、体温の値が小さくなるにつれて、だるさのレベルが高くなる場合がある。ただし、本発明のだるさと相関がある生体情報の値とユーザが感じるだるさのレベルとが対応する場合には、生体情報の値が小さくなるにつれて、だるさのレベルが低くなる場合も含まれている。本明細書において、「だるさと相関がある生体情報の値とユーザが感じるだるさのレベルとが対応する」とは、だるさと相関がある生体情報の値を決めれば、ユーザが感じるだるさのレベルが決まることを意味する。
【００３９】
駆動部６は、送風機１の風速、風向き、および運転間隔のうちの少なくともいずれか１つを変更することにより、合計風量を段階的に変化させることができる。本実施の形態においては、駆動部６は、だるさ判定部４によってだるさのレベルが所定のレベルに到達したと判定された場合に、合計風量を減少させるように送風機１を駆動する。たとえば、駆動部６は、だるさのレベルが高くなるときは、だるさのレベルに応じて、合計風量を段階的に減少させる。
【００４０】
また、駆動部６は、睡眠状態判定部５によってユーザが睡眠していると判定された場合にのみ、合計風量を減少させる。さらに、駆動部６は、環境計測部３により計測された環境情報に応じて、合計風量を異なった態様で減少させる。具体的には、駆動部６は、環境情報から特定されるユーザが感じる不快指数が高いほど、合計風量が多くなるように、合計風量を異なった態様で減少させる。これについては後述される。
【００４１】
記憶部７は、睡眠環境制御プログラム７ａを記憶する記憶媒体である。この睡眠環境制御プログラム７ａは、コンピュータとしての制御部９において実行される。コンピュータが睡眠環境制御プログラム７ａを実行すると、だるさ判定部４、睡眠状態判定部５、および、駆動部６は、それぞれの機能を果たす。
【００４２】
睡眠環境制御システム１０は、たとえば、図１０に示すように、生体計測部２が体動および体温を計測し、計測された体動および体温の値に基づいて送風機１の合計風量を制御する。
【００４３】
図１０の体動の時間変化を示すグラフ（ａ）から分かるように、まず、時刻ｔ１において、睡眠状態判定部５が、生体計測部２によって計測された体動の値が所定値ＰＶ以下になった場合に、ユーザが睡眠状態になっていると判定する。このユーザの睡眠状態は、時刻ｔ１〜時刻ｔ３まで継続する。ユーザが睡眠状態になっている時刻ｔ１〜時刻ｔ３の期間において、だるさ判定部４は、体温に基づいてユーザが感じているであろうと推測されるだるさのレベルを判定する。
【００４４】
具体的には、図１０の体温の時間変化を示すグラフ（ｂ）から分かるように、時刻ｔ１〜時刻ｔ３までの期間において、だるさ判定部４は、体温に応じただるさのレベルを判定する。ユーザの体温が所定の温度から低くなるにつれて、だるさのレベルが０から５まで高くなる。つまり、ユーザの体温が所定の温度から低くなるにつれで、ユーザが感じるだるさのレベルが高くなる。だるさのレベルが高くなるとは、ユーザが感じるだるさがより強くなることを意味する。本実施の形態においては、たとえば、体温が０．１℃下がることに、だるさのレベルが１だけ増加するものとする。この場合、ユーザは、体温が０．１℃低下するごとに、１段階だけよりだるさを強く感じているものとする。
【００４５】
このだるさのレベル１〜５に基づいて、図１０の風量の時間変化を示すグラフ（ｃ）から分かるように、時刻ｔ１〜時刻ｔ２までの期間において、駆動部６は、だるさのレベルが１つ増加するごとに、送風機１の合計風量を１段階ずつ減少させる。
【００４６】
時刻ｔ１においては、だるさのレベルがゼロであるため、送風機１の合計風量は、ユーザが睡眠状態になる前の状態と同一である。このだるさのレベルがゼロの時点では、ユーザはだるさを感じていないものとする。だるさのレベルが０から１になると、だるさ判定部４は、ユーザが感じるだるさが１段階だけより強くなったとみなして、駆動部６は、送風機１の合計風量を１段階だけ減少させる。つまり、だるさのレベル１が送風機１の合計風量を減少させるか否かの閾値となっている。同様に、だるさのレベルが１から２になると、だるさ判定部４は、ユーザが感じるだるさが１段階だけより強くなったとみなして、駆動部６は、送風機１の合計風量をさらに１段階だけ減少させる。だるさのレベルが順次増加し、だるさのレベルが５になったとき、駆動部６は、送風機１の合計風量をゼロにする、つまり、送風機１の動作を停止させる。
【００４７】
時刻ｔ２から時刻ｔ３までの期間、送風機１の動作を停止させていると、体温が上昇する。図１０に示される例においては、時刻ｔ３において、だるさのレベルが０になるまで体温が上昇している。ただし、駆動部６は、だるさのレベルが低くなるときには、だるさのレベルが最も低くなるまで、合計風量を増加させない。つまり、駆動部６は、だるさのレベルが低くなるときには、だるさのレベルが最も低くなるまで、だるさのレベルが低くなる前の合計風量を維持している。駆動部６は、だるさのレベルが最も低くなったときに、最も低いだるさのレベルに対応する合計風量まで、合計風量を一気に増加させるように、送風機１を駆動する。これは、いわゆる、ゆらぎ制御である。このゆらぎ制御により、睡眠中のユーザに快適感を与えることができる。
【００４８】
また、時刻ｔ３から時刻ｔ４までの期間は、体動が所定値ＰＶより多くなっているため、睡眠状態判定部５は、ユーザが睡眠状態になっていないと判定している。そのため、だるさ判定部４は、だるさのレベルを判定していない。
【００４９】
時刻ｔ４になると、体動が再び所定値ＰＶ以下になったため、睡眠状態判定部５は、ユーザが再び睡眠状態になっていると判定する。それにより、だるさ判定部４は、再びだるさのレベルの判定を開始する。時刻ｔ４においては、ユーザの体温は、だるさのレベルが１である場合の値になっているため、駆動部６は、送風機１の合計風量を１段階だけ減少させる。その後、ユーザの体温が低下し続ける、つまり、だるさのレベルが高くなり続けるため、時刻ｔ５まで、駆動部６は、送風機１の合計風量を１段階ずつ減少させる。時刻ｔ５以降は、だるさ判定部４は、ユーザの体温がだるさのレベルが５である場合の値よりも低い状態が維持されているため、駆動部６は、送風機１の合計風量がゼロの状態を維持する。
【００５０】
図１０に示される例においては、駆動部６は、だるさのレベルが最も低くなったときに、合計風量を段階的に減少させる前の状態まで一気に増加させている。つまり、ゆらぎ制御が実行されている。これによれば、ユーザは睡眠中に快適感を得ることができる。
【００５１】
ただし、図１１に示されるように、時刻ｔ２３〜時刻ｔ３までの期間および時刻ｔ５６以降の期間において、駆動部６は、だるさのレベルが低くなるときに、だるさのレベルに応じて、合計風量を段階的に増加させてもよい。これによれば、だるさのレベルが高くなるときのみならず、だるさのレベルが低くなるときにおいても、だるさのレベルに応じて送風機１の合計風量を減少させることができる。したがって、睡眠環境をよりきめ細かく制御することができる。なお、図１０のグラフと図１１のグラフとは、ハッチング部分の有無のみが相違している。
【００５２】
上記の睡眠環境制御システム１０によれば、ユーザが感じるだるさのレベルが所定のレベルに到達した場合に、送風機１の合計風量を減少させることができる。その結果、ユーザが起床時にだるさを感じることを抑制することができる。したがって、高齢者、女性、または赤ちゃん等のエアコンディショナーによる冷房を好まないユーザに適した睡眠環境を提供することができる。
【００５３】
また、上記の睡眠環境制御システム１０によれば、ユーザが睡眠状態になっている場合に、送風機１の合計風量を自動的に減少させることができる。したがって、睡眠状態になる前にユーザが自ら睡眠状態中の送風機１の制御を設定する必要がない。
【００５４】
本実施の形態の睡眠環境制御システム１０は、ユーザ周囲の環境情報を計測する環境計測部３を備えている。駆動部６は、環境計測部３により計測された環境情報に応じて合計風量を異なった態様で増減させる。
【００５５】
一般に、室内の温度および湿度が高い場合には、体温が低下しにくいため、ユーザは不快に感じやすい。つまり、ユーザの体温が同一であっても、ユーザが感じる不快指数ＤＩ（Discomfort Index）は異なる。図１２に示されるように、不快指数ＤＩは、室内の温度および湿度に依存する。したがって、本実施の形態においては、この不快指数ＤＩを考慮して、送風機１の合計風量を決定する。具体的には、図１２に示される不快指数ＤＩの大きさに対応して、送風機１の合計風量を増減させる態様を変更する。たとえば、次のように送風機１の合計風量を増減させる態様を変更する。
【００５６】
室内の雰囲気の湿度および温度の組合せが線ａで示されるよりも左下側の領域にある場合、不快指数ＤＩは、Ｘよりも小さい。この場合、駆動部６は、送風機１の合計風量が最も小さいＷになるように送風機１を駆動する。
【００５７】
室内の雰囲気の湿度および温度の組合せが線ａで示されるよりも右上側の領域であってかつ線ｂで示されるよりも左下側の領域にある場合、不快指数ＤＩは、ＸからＸ＋５までの間の値となる。この場合、駆動部６は、送風機１の合計風量が最も小さいＷよりも１段階だけ大きいＷ＋１になるように送風機１を駆動する。
【００５８】
室内の雰囲気の湿度および温度の組合せが線ｂで示されるよりも右上側の領域であってかつ線ｃで示されるよりも左下側の領域にある場合、不快指数ＤＩは、Ｘ＋５からＸ＋１０までの間の値となる。この場合、駆動部６は、送風機１の合計風量がＷ＋１よりも１段階だけ大きいＷ＋２になるように送風機１を駆動する。
【００５９】
室内の雰囲気の湿度および温度の組合せが線ｃで示されるよりも右上側の領域であってかつ線ｄで示されるよりも左下側の領域にある場合、不快指数ＤＩは、Ｘ＋１０からＸ＋１５までの間の値となる。この場合、駆動部６は、送風機１の合計風量がＷ＋２よりも１段階だけ大きいＷ＋３になるように送風機１を駆動する。
【００６０】
室内の雰囲気の湿度および温度の組合せが線ｄで示されるよりも右上側の領域にある場合、不快指数ＤＩは、Ｘ＋１５よりも大きい。この場合、駆動部６は、送風機１の合計風量がＷ＋３よりも１段階大きいＷ４、すなわち、最大値になるように、送風機１を駆動する。
【００６１】
睡眠環境制御システム１０は、睡眠状態判定部５によってユーザが睡眠状態になっていると判定された場合に、ユーザが感じる不快指数に応じて、ユーザがより快適に感じるように、合計風量を異なった態様で変更している。これにより、ユーザの睡眠中の快適感が増加する。
【００６２】
図１３において、合計風量を段階的に減少させる態様ａ１，ａ２，ｂ１，ｂ２の例が示されている。図１３に示されるように、環境情報の値に応じて、合計風量を低減させる態様が異なっている。たとえば、室内の雰囲気の温度および湿度によって特定される不快指数が相対的に高い場合に、合計風量を段階的に減少させる態様ａ１，ａ２が選択されている。逆に、室内の雰囲気の温度および湿度によって特定される不快指数が相対的に低い場合に、合計風量を段階的に減少させる態様ｂ１，ｂ２が選択されている。つまり、不快指数ＤＩが相対的に高い場合に、合計風量が相対的の多く、不快指数ＤＩが相対的に低い場合に、合計風量が相対的に少なくなるように、駆動部６が送風機１を駆動している。つまり、ユーザが感じる不快指数が高いほど合計風量が多くなるように、駆動部６は、合計風量を異なった態様で減少させている。
【００６３】
図１４において、態様ａ３，ａ４および態様ｂ３，ｂ４で示されるように、環境情報の値に応じて、合計風量を段階的に増加させる態様を異ならせてもよい。たとえば、室内の雰囲気の温度および湿度によって特定される不快指数が相対的に高い場合に、態様ａ３，ａ４が選択され、室内の雰囲気の温度および湿度によって特定される不快指数が相対的に低い場合に、態様ｂ３，ｂ４が選択されている。この場合も、不快指数ＤＩが相対的に高い場合に、合計風量が相対的の大きく、不快指数ＤＩが相対的に低い場合に、合計風量が相対的に小さくなるように、駆動部６が送風機１を駆動している。つまり、ユーザが感じる不快指数が高いほど合計風量が多くなるように、駆動部６は、合計風量を異なった態様で増加させている。
【００６４】
上記の構成によれば、睡眠中のユーザに快適感を増加させることができる。なお、ユーザが感じる不快指数は、本実施の形態においては、温度と湿度との組合せによって決定されているが、他の環境情報を用いて、不快指数が決定されていてもよい。
【００６５】
前述のように、睡眠状態判定部５は、生体計測部２により計測された睡眠状態と相関がある生体情報の値に基づいて、ユーザが睡眠しているか否かを判定する。睡眠状態判定部５は、たとえば、睡眠状態と相関がある生体情報の一例としての体動の値が所定値以下になったことを条件として、ユーザが睡眠していると判定する。この睡眠状態判定部５による判定結果は駆動部６に供給される。
【００６６】
ただし、睡眠状態判定部５は、脳波、筋電、眼球運動、および体動の少なくともいずれかの値に基づいて、ユーザの睡眠の深さを判定する制御を実行してもよい。この制御においては、ユーザの睡眠の深さが所定の深さのステージに到達している場合に、ユーザが睡眠していると判定することになる。
【００６７】
一般に、睡眠の深さは、図１５に示されるように時間変化する。睡眠の深さは、生体計測部２によって検出される脳波、筋電、眼球運動、および体動によって分類される。この睡眠のステージは、おおよそ、レム睡眠とノンレム睡眠とに分類される。ノンレム睡眠はステージ１〜ステージ４までの４種類のステージに分類される。ノンレム睡眠のステージ１〜ステージ４のうちの数字が大きいほど、深い眠りとなる。たとえば、ステージ２に到達した場合に、ユーザが睡眠状態になっていると判定してもよい。具体的には、脳波、筋電、眼球運動、または体動の値が、予め定められた閾値の睡眠状態であることを示す側に属する場合に、睡眠状態判定部５は、ユーザが睡眠状態になっていると判定する。
【００６８】
次に、図１６を用いて、本実施の形態の睡眠環境制御システム１０の制御部９において実行されている睡眠環境制御処理１を説明する。
【００６９】
睡眠環境制御処理１においては、まず、ステップＳ１１において、制御部９は、ユーザが睡眠状態になっているか否かを判定する。具体的には、睡眠状態判定部５が体動の値が所定値以下になったか否かを判定する。睡眠状態判定部５が体動の値が所定値以下になったと判定するまで、ステップ１１の処理は継続される。
【００７０】
ステップＳ１１において、制御部９は、体動の値が所定値以下になっていれば、ユーザが睡眠状態になっているとみなして、ステップ１２において、環境計測部３によって計測された環境情報、たとえば、温度および湿度の値を取得する。それにより、ステップＳ１３において、制御部９は、環境計測部３によって計測された環境情報ｋの値に対応するデータテーブルを読み出す。本実施の形態においては、前述のように、環境情報ｋは、図１２および図１７に示される温度と湿度とによって特定される不快指数ＤＩｋである。
【００７１】
図１７に示されるように、制御部９は、環境情報ｋ（ｋは１〜ｎまでの自然数）のそれぞれに対応するｎ個のデータテーブルを記憶部７に有している。制御部９は、環境情報ｋの値に対応するデータテーブルを読み出す。環境情報ｋに対応するデータテーブルにおいては、生体情報（体温）Ｓｋ１〜Ｓｋｎ（ｋは１〜ｎまでの自然数）と合計風量Ｔｋ１〜Ｔｋｎの風を生成するように送風機１を駆動するための制御情報とが、それぞれ関連付けられて記憶されている。生体情報の値Ｓ１１〜Ｓ１ｋ〜Ｓ１ｎおよび合計風量Ｔ１１〜Ｔｋｎ〜Ｔ１ｎの風を生成するように送風機１を駆動するための制御情報は、それぞれ、だるさのレベルｋ（ｋは、１〜ｎまでの自然数）と対応している。ただし、だるさのレベルｋは、概念上のものであって、実際のデータテーブルには記憶されている必要ない。また、合計風量Ｙｋの風を生成するように送風機１を駆動するための制御情報は、予め実験の結果に基づいて作成されている。
【００７２】
図１７の環境情報ごとのデータテーブルのそれぞれは、ｋの値が大きくなるほど、体温の値が小さく、かつ、だるさのレベルが高いものとして記載されている。言い換えれば、図１７の環境情報ごとのデータテーブルのそれぞれは、ｋの値が小さいほど、体温の値が大きく、かつ、だるさのレベルが低いものとして記載されている。また、図１７の環境情報ごとのデータテーブルのそれぞれにおいては、だるさのレベルが低いほど、合計風量が多くなり、かつ、だるさのレベルが高いほど、合計風量が少なくなっている。
【００７３】
次に、ステップＳ１４において、生体計測部２によって計測されたユーザが感じるだるさと相関がある生体情報の値、たとえば、体温を取得する。その後、ステップＳ１５において、だるさのレベルを判定する。この場合、だるさのレベルの判定は、概念上のものであって、だるさのレベルが数値として実際に取得されているわけではない。実際には、生体計測部２によって計測された体温の値に対応する合計風量になるように、駆動部６が送風機１を駆動する。つまり、駆動部６の駆動状態を特定可能な制御情報がユーザが感じるだるさと相関がある生体情報の値に対応して記憶されており、その生体情報の値に対応する駆動状態になるように駆動部６が送風機１を駆動している。その結果、生体計測部２によって計測された体温の値に対応する合計風量の風が生成されるように、送風機１が駆動されている。
【００７４】
ステップＳ１６において、だるさ判定部４は、だるさのレベルが低くなったか否を判定する。たとえば、ユーザが感じるだるさと相関がある生体情報として体温が用いられる場合、体温が上がったか否かが判定される。体温が上がった場合には、送風機１の合計風量が、初期値、すなわち、ユーザが睡眠状態になる直前の値になるように駆動部６が送風機１を駆動する。一方、体温が下がったかまたは体温が維持されている場合には、ステップＳ１７において、だるさのレベルに対応する合計風量の風を生じさせるように、駆動部６が送風機１を駆動する。ステップＳ１８において、制御部９は、駆動部６がだるさのレベルに対応する合計風量の風を生じさせる状態になってから、所定時間が経過したか否かを判定する。ステップＳ１８において、所定時間が経過してれば、ステップＳ１１において、再度、睡眠状態判定部５によってユーザが睡眠状態になっているか否かが判定される。ステップＳ１８は、所定時間だけ送風機１の駆動状態を一定にすることにより、送風機１の動作の安定性を確保するために実行される。
【００７５】
（その他）
深い眠りであるステージ４の時間が長いほど質の良い睡眠であると考えられる。そのため、睡眠環境制御システムは、ステージ４の時間が長くなるように送風機１を制御することが望ましい。
【００７６】
また、睡眠時の心拍数は起床時と比較して約１５％だけ低下している状態が質の良い睡眠であると考えられる。また、呼吸数および心拍数が低いほど、質の良い睡眠状態であると考えられる。そのため、睡眠環境制御システムは、心拍数および呼吸数が低くなるように、送風機１を制御することが望ましい。
【００７７】
さらに、交感神経活動が低く、副交感神経活動が高くなるような状態も質の良い睡眠であると考えられる。そのため、睡眠環境制御システムは、交感神経活動が低く、副交感神経活動が高くなるように、送風機１を制御することが望ましい。
【００７８】
（実施の形態２）
以下、実施の形態２の睡眠環境制御システムを、図面を参照しながら説明する。
【００７９】
本実施の形態の睡眠環境制御システムと実施の形態１の睡眠環境制御システムとの相違点を主として説明する。本実施の形態の睡眠環制御システムは、実施の形態１の睡眠環境制御システム１０において同一参照符号が付された構成に関しては、特筆しないかりぎ、実施の形態１において説明された構成と同一の構成を有しているものとする。本実施の形態の睡眠環境制御システムの構成のうち、実施の形態１の睡眠環境制御システムと同一の構成の説明は繰り返さない。ただし、同一の構成が異なる機能を発揮する場合もあるが、その異なる機能については以下に説明される。
【００８０】
また、実施の形態１において用いられた用語の定義は、特筆しない限り、実施の形態１において用いられた用語の定義と同一であるものとする。
【００８１】
実施の形態２は、実施の形態２−１、実施の形態２−２、実施の形態２−３、および実施の形態２−４からなっている。
【００８２】
（実施の形態２−１）
図１８〜図２４を用いて、本発明の実施の形態２−１の睡眠環境制御システムを説明する。
【００８３】
図１８に示されるように、実施の形態２−１の睡眠環境制御システム１０は、実施の形態１の睡眠環境制御システム１０の構成に加えて、データベースＤＢおよび選択部８をさらに備えている点において、第１の実施の形態の睡眠環境制御システムと相違する。
【００８４】
図１８に示されるように、本実施の形態の睡眠環境制御システム１０は、送風機１、生体計測部２、環境計測部３、だるさ判定部４、および制御部９を備えている。実施の形態１と同様に、送風機１は、風速、風向き、および運転間隔の少なくともいずれか１つを変更することによって、特定方向における単位時間あたりの合計風量を変化させる。この「合計風量」の意味は、実施の形態１において説明された「合計風量」の意味と同一である。
【００８５】
本実施の形態においても、生体計測部２は、ユーザが感じるだるさと相関がある生体情報およびユーザの睡眠と相関がある生体情報を計測する。ただし、本実施の形態の生体計測部２は、実施の形態１の生体計測部２と異なり、送風機１のユーザの末梢部分の皮膚温度を計測する。本実施の形態においても、環境計測部３は、ユーザの周囲の環境情報を計測する。ただし、本実施の形態の環境計測部３は、実施の形態１と異なり、ユーザの周辺環境における風の速度を計測する。本実施の形態においては、制御部９は、生体計測部２により計測された末梢部分の皮膚温度と環境計測部３によって計測された風速の情報とを用いて、送風機１を制御する。末梢部分の皮膚温度は、ユーザの末梢部分に温度センサを接触させて体温を計測する方法、および、サーモグラフィを用いてユーザの末梢部分の皮膚に接触することなく体温を計測する方法のいずれによって計測されてもよい。
【００８６】
図１８に示されるように、制御部９は、データベースＤＢと、だるさ判定部４と、駆動部６とを含んでいる。つまり、本実施の形態の制御部９は、実施の形態１の制御部９に含まれていないデータベースＤＢを含んでいる。
【００８７】
図１９に示されるように、データベースＤＢは、複数の環境情報を、それぞれ、複数の体幹部分の皮膚温度に関連付けて記憶している。本実施の形態においては、データベースＤＢは、複数種類のユーザの属性情報にそれぞれ対応した複数種類のデータテーブルを有している。この複数種類のデータテーブルのそれぞれにおいては、複数の風速の値と複数の体幹部分の皮膚温度の値とがそれぞれ対応するように記憶されている。つまり、データテーブルによれば、風速の値が決まれば、それに対応する体幹部分の皮膚温度の値が決まる。
【００８８】
だるさ判定部４は、生体計測部２により計測された末梢部分の皮膚温度と環境計測部３によって計測された風速とに基づいて、だるさのレベルが予めら定められた複数のレベルのうちのいずれに属するのかを判定する。駆動部６は、だるさ判定部４によって判定された結果、すなわち、ユーザが感じるだるさのレベルの情報に基づいて、送風機１を駆動する。ただし、実施の形態１のだるさのレベルの判定と同様に、本実施の形態のだるさのレベルの判定も、あくまでも概念上のものであり、実際にだるさ判定部４がだるさのレベルの値を導き出すわけではない。
【００８９】
具体的には、図１９において、だるさ判定部４は、環境計測部３によって計測された風速に関連付けられた体幹部分の皮膚温度をデータベースＤＢの特定のグループｋから抽出する。だるさ判定部４は、図２０に示されるように、末梢部分の皮膚温度Ｃから体幹部分の皮膚温度Ｂｋｋを引算する。だるさ判定部４は、引算された結果の値である差Ｘが大きな値から小さな値へいくほどだるさのレベルが高いという前提条件の下で、だるさのレベルを判定する。駆動部６は、図２０に示されるデータテーブルを用いて、だるさ判定部４によって判定されただるさのレベルが高くなった場合に、合計風量Ｙｋを減少させるように送風機１を駆動する。この図２０に示されるデータテーブルは、記憶部7に記憶されている。このデータテーブルに基づく処理の詳細に関しては後述される。
【００９０】
本実施の形態の睡眠環境制御システム１０によっても、ユーザが感じるだるさのレベルが所定のレベルに到達した場合に、送風機１の合計風量を減少させることができる。したがって、ユーザが起床時にだるさを感じることを抑制することができる。
【００９１】
複数の風速Ａｋｋと複数の体幹部分の皮膚温度Ｂｋとは、図１９に示されるように、複数種類のユーザ属性情報ｋにそれぞれ関連付けられた複数種類のグループｋに分類されている。ここで、ｋは１〜ｎまでの自然数である。
【００９２】
睡眠環境制御システム１０は、複数種類のユーザ属性情報のうちのいずれか１つを選択することによって、複数種類のグループｋのうちのいずれか１つのグループｋを選択するための選択部８を備えている。選択部８は、図１８および図２１に示されている。だるさ判定部４は、選択部８によって選択された１つのグループｋを用いて、環境計測部３よって計測された風速Ａｋｋの値に関連付けられた体幹部分の皮膚温度Ｂｋｋを抽出する。
【００９３】
だるさ判定部４は、図２０に示されるデータテーブルにおいて、引算された結果の値である差Ｘｋ（ｋは１〜ｎまでの自然数）に基づいて、だるさのレベルが予め定められた複数のレベルｋのうちのいずれに属するのかを判定する。駆動部６は、だるさのレベルｋが高くなるときは、だるさのレベルｋに応じて、合計風量Ｙｋ（ｋは１〜ｎまでの自然数）を段階的に減少させる。
【００９４】
したがって、本実施の形態の睡眠環境制御システムにおいても、実施の形態１の睡眠環境制御システム１０と同様に、図１０、図１１、図１３、および図１４において示されるように、だるさのレベルに応じて送風機１の合計風量を段階的に減少させることができる。そのため、ユーザの睡眠環境をきめ細かく制御することができる。
【００９５】
また、本実施の形態の睡眠環境制御システム１０においても、実施の形態１の睡眠環境制御システム１０と同様に、駆動部６は、図１０で示されるような制御を実行する。つまり、駆動部６は、だるさのレベルが低くなるときには、だるさのレベルが最も低くなるまで、だるさのレベルが低くなる前の合計風量を維持する。駆動部６は、だるさのレベルが最も低くなったときに、最も低いだるさのレベルに対応する合計風量まで、合計風量を一気に増加させるように、送風機１を駆動する。
【００９６】
また、本実施の形態の睡眠環境制御システム１０においても、実施の形態１の睡眠環境制御システム１０と同様に、図１１に示されるように、駆動部６は、だるさのレベルが低くなるごとに、合計風量を段階的に増加させてもよい。
【００９７】
本実施の形態の睡眠環境制御システム１０においても、実施の形態１の睡眠環境制御システム１０と同様に、生体計測部２は、送風機１のユーザの睡眠状態と相関がある生体情報を計測する。制御部９は、生体計測部２により計測された睡眠状態と相関がある生体情報の値が予め定められた睡眠状態であるか否かを区切る閾値のいずれの側にあるかを判定することによって、ユーザが睡眠しているか否かを判定する睡眠状態判定部５を備えている。制御部９は、睡眠状態判定部５によってユーザが睡眠していると判定された場合に、末梢部分の皮膚温度と風速の情報とを用いて送風機１を制御する。
【００９８】
前述のように、本実施の形態においては、風速および体幹部分の皮膚温度は、図１９に示されるように、予め定められたユーザの属性情報ｋに関連付けられている。睡眠環境制御システム１０は、ユーザが複数種類の属性情報ｋのうちのいずれか１つを選択するための選択部８を備えている。
【００９９】
複数種類のユーザの属性情報ｋとしては、たとえば、暑がり、寒がり、冷え性、または汗かき等のユーザの主観的な感覚に基づく属性情報、および、痩せ体型、標準体型、または肥満体型等の客観的指標に基づく属性情報がある。したがって、ユーザの主観的な感覚に基づく情報を用いる場合には、選択部８において、たとえば、暑がりボタン、寒がりボタン、冷え性ボタン、汗かきボタン等のユーザが選択できる選択ボタンを有していることが望ましい。本実施の形態においては、図２１に示されるように、送風機１は、その脚部に選択部８を備えている。
【０１００】
図２１に示される選択部８においては、Ａ〜Ｆのモードのボタンが設けられている。ユーザが図２１に示される選択部８のＡ〜Ｆのモードボタンを選択する。それにより、その選択されたボタンに対応するユーザの属性情報ｋに対応するグループｋから環境情報（風速）Ａｋｋに関連付けられた体幹部分の皮膚風温度Ｂｋｋが選択される。客観的指標に基づく属性情報を用いる場合には、選択部８によってユーザが自ら選択する手法の他に、制御部９が生体計測部２から得られた情報に基づいてユーザの属性情報ｋを決定してもよい。制御部９がユーザの属性情報ｋを決定する手法は、後続の実施の形態において説明される。
【０１０１】
図２０は、だるさ判定部４における、ユーザの末梢部分の皮膚情報（手指皮膚温度）Ｃから体幹部分の生体情報（上腕部皮膚温度）Ｂｋｋを引いた値である差Ｘとだるさのレベルｋとの一般的な関係示す。
【０１０２】
図２０に示されるように、一般に、末梢部分の皮膚温度Ｃから体幹部分の皮膚温度Ｂｋｋを引いた値である差Ｘが小さいほど、だるさのレベルｋが高いものとする。逆に言うと、末梢部分の皮膚温度Ｃから体幹部分の皮膚温度Ｂｋｋを引いた値である差Ｘが大きいほど、だるさのレベルｋが低いものとする。このだるさのレベルｋは、あくまでも、主観的なレベルである。たとえば、手先または足先の温度が腹部の温度に比較して高いと、だるさの主観的なレベルは低く、手先または足先の温度が腹部の温度に比較して低いと、だるさの主観的なレベルは高い。だるさのレベルは、一般に、直線または曲線回帰式を用いて表すことができる。
【０１０３】
たとえば、だるさのレベルは、次の式１によって表すことができる。
（式１）だるさのレベル＝ａ０+ａ１×（末梢部分の皮膚温度−体幹部分の皮膚温度）
ここで、ａ０は、末梢部分の皮膚温度と体幹部分の皮膚温度との差がゼロのときのだるさのレベルであり、ａ１は、だるさのレベルを規定する直線の傾きを示す。
【０１０４】
上記の式１において、「末梢部分」は、四肢のうちの上半身では、手首から先端側の部分である手首、手甲、または手指等である。「末梢部分」は、四肢のうちの下半身では、足首から先端側の部分である足首、足甲、または足指等である。上記の「末梢部分」は、頭部では、鼻などである。
【０１０５】
上記の式１において、「体幹部分」は、四肢のうちの上半身では、肘から上腕部までの部分である。「体幹部分」は、四肢のうちの下半身では、膝から大腿部までの部分である。その他の「体幹部分」は、腹部または額等である。
【０１０６】
図２２は、上述のだるさのレベルの式１をグラフで表したものである。
【０１０７】
本実施の形態においては、図２２に示されるように、だるさのレベルに応じて送風機１の駆動態様を決定する。具体的には、末梢部分の皮膚温度Ｃから体幹部分の皮膚温度Ｂｋｋを減算した値である差Ｘが、予め定められた値Ｚ[℃]以下になる場合がある。本実施の形態においては、この場合に、だるさ判定部４は、だるさのレベルが許容値を上回ったと判定し、駆動部６は、送風機１の風速、風向き、および運転間隔のうちの少なくともいずれか１つを変更する。だるさの判定は、あくまでも概念上のものであり、実際には、だるさ判定部４は、差Ｘが許容値を下回ったか否かを判定する。駆動部６は、だるさ判定部４が、差Ｘが許容値を下回ったと判定した場合に、駆動部６は、送風機１の風速、風向き、および運転間隔のうちの少なくともいずれか１つを変更する。それにより、送風機１から送り出される風の特定の方向における単位時間あたり合計風量が減少する。
【０１０８】
図２３は、風速と体幹部分の皮膚温度との一般的な関係を示している。図２３に示されるように、風速の値が大きいほど、体幹部分の皮膚温度が低くなる。この関係は、直線または曲線回帰式等により表される。体幹部分の皮膚温度と風速との関係は、たとえば、次の式２によって表される。
【０１０９】
（式２）体幹部分の皮膚温度＝ｂ０＋ｂ１×風速
ここで、ｂ０は、風速がゼロのときの体幹部分の皮膚温度であり、ｂ１は、風速と体幹部分の皮膚温度との変化率を規定する係数である。
【０１１０】
この式２によれば、風速から体幹部分の皮膚温度を予測することができる。
【０１１１】
上記の式２において、「体幹部分」は、四肢のうちの上半身では、肘から上腕部までの部分である。「体幹部分」は、四肢のうちの下半身では、膝から大腿部までの部分である。その他の「体幹部分」は、腹部または額等である。
【０１１２】
図２３から分かるように、ユーザごとに、風速と体幹部分の皮膚温度との関係は異なる。したがって、本実施の形態においては、ユーザの属性情報のそれぞれごとに風速と体幹部分の皮膚温度との関係を規定した複数種類のデータテーブルが用いられる。そのため、ユーザの属性情報に応じて、風速と体幹部分の皮膚温度とが関連付けられた記憶されたデータテーブルが選択される。
【０１１３】
環境計測部３によって計測される環境情報として、風速の他に、温度、湿度、および輻射温度を用いることができる。さらに、環境情報としては、体感温度（温度および湿度から算出）または予測平均温冷感申告ＰＭＶ（Predicted Mean Vote）が用いられてもよい。また、環境情報としては、予測不快者率ＰＰＤ、標準新有効温度ＳＥＴ（Standard New Effective Temperature）または不快指数ＤＩ（温度、湿度、風速、またはユーザの着衣量などで算出）が用いられてもよい。これらの環境情報が、体幹部分の皮膚温度を予測するための情報として、風速の代わりにまたは風速とともに、用いられてもよい。
【０１１４】
したがって、体幹部分の皮膚温度と関係があると一般に考えられる体格指数ＢＭＩ（Body Mass Index）または冷え性か否かというようなユーザの属性情報に応じて、体幹部分の皮膚温度が推測されてもよい。このようにユーザの属性情報を用いれば、送風機１の風速が同一である場合に、ユーザの体質の個人差を考慮して、体幹部分の皮膚温度の推測することができる。そのため、体幹部分の皮膚温度の推測の測精度を向上させることができる。したがって、ユーザの体質の個人差に応じて、ユーザが感じるだるさのレベルを決定することができる。ただし、本実施の形態においても、だるさのレベルは、概念上のものであって、実際のデータベースには記憶されている必要ない。
【０１１５】
ユーザの属性情報の例としては、上記したＢＭＩおよび冷え性か否か以外に、年齢、国籍、出身地域、体格（身長、体重）、または体質（汗かき、月経周期での基礎体温の低温期および高温期）等が考えられる。
【０１１６】
本実施の形態の睡眠環境制御システム１０の製造前の段階において、上記の式（２）を用いて、ユーザの属性情報ごとに、風速と体幹部分の皮膚温度とが算出される。この算出された値がデータベースＤＢに記憶される。それにより、図１９に示されるように、データベースＤＢには、複数種類のユーザの属性情報のそれぞれにおいて、風速と体幹部分の皮膚温度とが関連付けられて記憶されている。
【０１１７】
たとえば、データベースＤＢは、痩せ体型のユーザ、標準体型のユーザ、肥満体型のユーザ等のユーザの属性情報ごとに、風速と体幹部分の皮膚温度とを関連付けて記憶していてもよい。また、データベースＤＢは、暑がりのユーザ、寒がりのユーザ、冷え性のユーザ、および汗かきのユーザ等のユーザの属性情報ごとに、風速と体幹部分の皮膚温度とを関連付けて記憶していてもよい。
【０１１８】
一般的に言うと、複数種類のユーザの属性情報が、それぞれ、複数の体幹部分の生体情報と関連付けられた状態で、データベースＤＢに記憶されていていればよい。また、これらのユーザの属性情報の２以上の組合せが、体幹部分の生体情報と関連付けられた状態で、データベースＤＢに記憶されていてもよい。
【０１１９】
また、生体計測部２は、送風機１が生成する風の速度がゼロである状態、すなわち、送風機１により風が生成されない状態での末梢部分の皮膚温度を計測するものであってもよい。この場合、データベースＤＢは、風速ゼロのときの末梢部分の皮膚温度とユーザの属性情報との関係との対応関係を記憶している。それにより、制御部９が、風速ゼロのときの末梢部分の皮膚温度を用いて、ユーザの属性情報を決定してもよい。ユーザの属性情報をユーザ自身が選択する場合に比較して、高い精度でユーザの属性情報を決定することができる。これについては、後述の実施の形態２−２において詳細に述べられる。
【０１２０】
次に、図２４を用いて、実施の形態２−１の睡眠環境制御システム１０の制御部９において実行されている睡眠環境制御処理２−１を説明する。
【０１２１】
図２４に示されるように、睡眠環境制御処理２においては、前述の睡眠環境制御処理１と同様に、まず、ステップＳ２１において、制御部９は、ユーザが睡眠状態になっているか否かを判定する。具体的には、睡眠状態判定部５が体動の値が所定値以下になったか否かを判定する。睡眠状態判定部５が体動の値が所定値以下になったと判定するまで、ステップ２１の処理は継続される。このステップ２１においては、睡眠状態判定部５は、脳波、筋電、眼球運動、および体動の少なくともいずれか１つの値に基づいて、ユーザの睡眠の深さが所定の深さのステージに到達している場合に、ユーザが睡眠していると判定してもよい。このステップＳ２１の処理は、前述実施の形態１で説明した睡眠環境制御処理１（図１６参照）のステップ１１の処理と同様である。
【０１２２】
ステップＳ２１において、制御部９は、体動の値が所定値以下になっていれば、ユーザが睡眠状態になっているとみなす。それにより、ステップ２２において、制御部９は、図２１に示される選択部８を用いてユーザによって選択されたユーザの属性情報ｋに対応するグループｋをデータベースＤＢから読み出す。データベースＤＢは、図１９に示されるように、ユーザの属性情報ｋごとに、環境情報（たとえば、風速）Ａｋｋと体幹部分の皮膚温度Ｂｋｋとを関連付けて記憶している。
【０１２３】
たとえば、図１９に示されるように、データベースＤＢは、複数のユーザの属性情報ｋにそれぞれ対応する複数のグループｋのデータテーブルからなっている。ここで、ｋは１〜ｎまでの自然数である。だるさ判定部４は、ユーザによって選択部８を用いて選択されたユーザの属性情報ｋの値に対応するグループｋのデータテーブルをデータベースＤＢから読み出す。グループｋのデータテーブルにおいては、風速Ａｋｋと体幹部分の皮膚温度Ｂｋｋとがそれぞれ対応付けられて記憶されている。ここでも、ｋは１〜ｎまでの自然数である。
【０１２４】
次に、ステップＳ２３において、環境計測部３によって風速が計測される。本実施の形態においては、環境計測部３としての風速計がユーザの寝台の近くに設置されている。また、その風速計によって計測された風速の値が制御部９に送信されている。制御部９のだるさ判定部４は、図１９に示されるデータベースＤＢの特定のグループｋから風速Ａｋｋの値に対応する体幹部分の皮膚温度Ｂｋｋの値を抽出する。
【０１２５】
次に、ステップＳ２５において、だるさ判定部４は、生体計測部２によって計測された末梢部分の皮膚温度Ｃを取得する。次に、ステップＳ２６において、だるさ判定部４は、末梢部分の皮膚温度Ｃ−体幹部分の皮膚温度Ｂｋｋ＝差Ｘを算出する。その後、ステップＳ２７において、差Ｘに対応するだるさのレベルが判定される。だるさ判定部４は、図２０に示されるデータテーブルを利用する。本実施の形態においては、だるさのレベルｋは、概念上のものであって、実際のデータテーブルには記憶されている必要ない。
【０１２６】
図２０に示されるデータテーブルにおいては、末梢部分の皮膚温度Ｃ−体幹部分の皮膚温度Ｂｋｋ＝差Ｘと合計風量Ｙｋの風を生成するように送風機１を駆動するための制御情報とがそれぞれ対応している。したがって、差Ｘの値が得られると、送風機１が生成する風の合計風量Ｙｋが決定される。なお、本実施の形態においても、合計風量Ｙｋの風を生成するように送風機１を駆動するための制御情報は、睡眠環境制御システム１０の製造前の実験の結果に基づいて作成されている。
【０１２７】
図２０においては、差Ｘｋおよび合計風量Ｙｋの風を生成するように送風機１を駆動するための制御情報は、それぞれ、だるさのレベルｋと対応している。ステップＳ２７は、概念上のステップであり、実際には、だるさ判定部４がだるさのレベル判定することない。実際には、ステップＳ２７は実行されず、ステップＳ２８が実行される。ステップＳ２８においては、だるさ判定部４によって算出された差Ｘｋを用いて、図２０に示されるデータテーブルから、その差Ｘｋに対応する制御情報が取得される。その制御情報に基づいて、駆動部６が送風機１を駆動する。その結果、送風機１が合計風量Ｙｋの風を生成する
なお、図２０では、だるさのレベルＸｋは、ｋの値が大きくなるほど、だるさを強く感じ、数値が小さいほど、だるさをあまり感じないものとして記載されている。また、差Ｘｋの値が大きくなるにしたがって、だるさのレベルは、大きくなる、つまり、ユーザがよりだるさを強く感じるものとして記載されている。また、図２０においては、ユーザが感じるだるさが強くなるにしたがって、合計風量Ｙｋは少なくなっている。したがって、ステップＳ２８の制御によれば、だるさのレベルが高くなるごとに、送風機１が生成する風の合計風量Ｙｋが段階的に減少する。
【０１２８】
本実施の形態においても、実施の形態１と同様に、だるさ判定部４によって判定されただるさのレベルが、高くなる場合と、低くなる場合とで、制御部９による送風機１の制御態様が異なっていてもよい。たとえば、駆動部６は、だるさのレベルが低くなるときには、だるさのレベルが最も低くなるまで、合計風量を増加させなくてもよい。つまり、駆動部６は、だるさのレベルが低くなるときには、だるさのレベルが最も低くなるまで、だるさのレベルが低くなる前の合計風量を維持していてもよい。この場合、駆動部６は、図１０に示されるように、だるさのレベルが最も低くなったときに、最も低いだるさのレベルに対応する合計風量まで、合計風量を一気に増加させるように、送風機１を駆動する。これは、実施の形態１で説明した、いわゆる、ゆらぎ制御である。このゆらぎ制御により、本実施の形態の睡眠環境制御システムによっても、睡眠中のユーザに快適感を与えることができる。
【０１２９】
ステップＳ２９において、制御部９は、だるさのレベルに対応する合計風量Ｙｋにする制御を開始してから、所定時間が経過したか否かを判定する。ステップＳ２９において、所定時間が経過していなければ、ステップＳ２８の処理が継続される。一方、ステップＳ２９において、所定時間が経過してれば、ステップＳ２９において、再度、睡眠状態判定部５によってユーザが睡眠状態になっているか否かが判定される。
【０１３０】
（実施の形態２−２）
次に、図２５および図２６を用いて、本実施の形態の睡眠環境制御システム１０を説明する。
【０１３１】
図２５に示されるように、実施の形態２−２の睡眠環境制御システム１０は、図１８に示される実施の形態２−１の睡眠環境制御システム１０と比較して、環境計測部３を備えていないことが相違している。この相違点以外においては、実施の形態２−２の睡眠環境制御システム１０の構成は、実施の形態２−１の睡眠環境制御システム１０の構成と同様である。
【０１３２】
本実施の形態においては、環境計測部３によって風速を計測するのではなく、制御部９が送風機１を駆動させている制御状態からユーザの周囲環境の風の速度を推測する。この制御部９が送風機１を駆動させている制御状態とユーザの周囲環境の風の速度とは、実験から得られた対応関係で、データテーブルに記憶されている。ただし、実施の形態２−２の睡眠環境制御システム１０は、他の目的のために上述のような環境計測部３を備えていてもよい。
【０１３３】
図２６を用いて、本実施の形態の睡眠環境制御システム１０の制御部９において実行されている睡眠環境制御処理２−２を説明する。
【０１３４】
図２６に示される睡眠環境制御処理２−２は、図２４に示される睡眠環境制御処理２−１と比較して、ステップ２３およびステップＳ２４が、それぞれ、ステップＳ２３ａおよびステップＳ２４ａに置き換えられていることが相違点である。この相違点以外においては、睡眠環境制御処理２−２は睡眠環境制御処理２−１と同様である。
【０１３５】
具体的には、図２６に示される睡眠環境制御
処理２−２においては、環境情報が送風機１によって生成される風の速度に限定されていることが、図２４に示される睡眠環境制御処理２−１と相違している。ただし、前述のように、環境情報としての風速は、計測されて得られたものではなく、送風機１を駆動させている制御部９の制御の状態から推測されている。
【０１３６】
図２６に示されるように、睡眠環境制御処理２−２においては、ステップＳ２３ａにおいて、だるさ判定部４は、駆動部６による送風機１の駆動状態の情報から風速Ａｋｋを取得する。この送風機１の駆動状態の情報は、扇風機のモータの回転数から推測される風速Ａｋｋと対応している。したがって、だるさ判定部４は、制御部９内の駆動部６が駆動させているモータの回転数の情報から送風機１の駆動状態を把握することにより、送風機１が生成する風の速度Ａｋｋを推測している。次に、ステップＳ２４ａにおいて、だるさ判定部４は、風速Ａｋｋを用いて、図１９に示されるデータベースＤＢから体幹部分の皮膚温度Ｂｋｋを抽出する。ただし、風の速度Ａｋｋがデータベースに記憶されている必要はなく、風速Ａｋｋの代わりに、送風機１の駆動状態の情報がデータベースＤＢに記憶されていてもよい。つまり、データベースＤＢは、風速Ａｋｋに対応する送風機１の駆動状態を示す情報と体幹部分の皮膚温度Ｂｋｋとを対応させて記憶していてもよい。これによれば、制御部９は、送風機１の駆動状態から即座に体幹部分の皮膚温度Ｂｋｋを得ることができる。
【０１３７】
本実施の形態の睡眠環境制御システム１０によっても、ユーザが起床時に感じるだるさのレベルが所定のレベルに到達した場合に、送風機１の合計風量を減少させることができる。したがって、ユーザが起床時にだるさを感じることを抑制することができる。
【０１３８】
また、上記した睡眠環境制御処理２−２によれば、風速を計測する環境計測部３が不要になる。そのため、図２６に示される睡眠環境制御処理２−２は、図２４に示される睡眠環境制御処理２−１に比較して、睡眠環境制御システム１０の構成を簡略化することができる。
【０１３９】
（実施の形態２−３）
次に、図２７〜図２９を用いて、実施の形態２−３の睡眠環境制御システム１０の構成を説明する。
【０１４０】
図２７に示されるように、実施の形態２−３の睡眠環境制御システム１０は、図１８に示される実施の形態２−１の睡眠環境制御システム１０と比較して、選択部８を備えていないことが相違している。また、図２７に示される実施の形態２−３の睡眠環境制御システム１０は、図１８に示される実施の形態２−１の睡眠環境制御システム１０と比較して、データベースＤＢに加えて、他のデータベースＤＢ２を備えていることが相違している。
【０１４１】
実施の形態２−３の睡眠環境制御システム１０は、ユーザの属性情報の推測のために、生体計測部２によって計測された風速ゼロの状態でのユーザの末梢部分の皮膚温度の情報を用いる。そのために、図２８に示すように、他のデータベースＤＢ２は、たとえば、痩せ型、標準体型、および肥満体型のそれぞれのユーザの属性情報と風速ゼロの状態でのユーザの末梢部分の皮膚温度の範囲とを関連付けて記憶している。
【０１４２】
図２８に示される他のデータベースＤＢ２においては、ユーザの風速ゼロの状態でのユーザの末梢部分の皮膚温度がＴ１未満であれば、そのユーザは痩せ体型に属する。ユーザの風速ゼロの状態でのユーザの末梢部分の皮膚温度がＴ１以上Ｔ２未満であれば、そのユーザは標準体型に属する。ユーザの風速ゼロの状態でのユーザの末梢部分の皮膚温度がＴ２以上であれば、そのユーザは肥満体型に属する。
【０１４３】
したがって、本実施の形態の睡眠環境制御システム１０によれば、環境計測部３によって計測された風速ゼロのときの末梢部分の皮膚温度から、ユーザがいずれの属性情報に属するのかを判定することができる。
【０１４４】
一方、図２８に示されるように、データベースＤＢは、ＢＭＩの値に対応して、痩せ型、普通体型、および肥満体型等の複数のユーザの属性情報にそれぞれ対応する複数のデータテーブルを備えている。本実施の形態においては、図２８に示されるように、痩せ体型のユーザのＢＭＩがＰ１未満である。普通体型のユーザのＢＭＩはＰ１以上Ｐ２未満である。肥満体型のユーザのＢＭＩはＰ２以上である。
【０１４５】
図２８のデータベースＤＢの痩せ型、標準体型、および肥満体型のそれぞれに対応したデータテーブルは、図１９に示されるように、環境情報（風速）Ａｋｋと体幹部分の皮膚温度Ｂｋｋとが対応するように記憶されている。したがって、だるさ判定部４は、データベースＤＢを用いて、環境計測部３によって計測された環境情報Ａｋｋに対応する体幹部分の皮膚温度Ｂｋｋを取得することができる。
【０１４６】
本実施の形態２−３の睡眠環境制御システム１０においても、だるさ判定部４は、生体計測部２によって計測された末梢部分の皮膚温度Ｃから体幹部分の皮膚温度Ｂｋｋを減算する。また、だるさ判定部４は、その減算された結果の値である差Ｘからだるさのレベルを判定する。駆動部６は、だるさのレベルに対応するように送風機１の合計風量Ｙｋｋを減少させる。これらのことは、本実施の形態の睡眠環境制御システム１０は、上記した実施の形態２−１および２−２の睡眠環境制御システム１０とは同様である。
【０１４７】
上記のような本実施の形態２−３の睡眠環境制御システム１０によれば、ユーザの属性情報は、生体計測部２によって計測された風速がゼロの状態の末梢部分の皮膚温度に基づいて客観的に推測されている。したがって、ユーザの選択部８の操作によるユーザの主観的な選択によってユーザの属性情報が推測される場合に比較して、ユーザの体幹部分の皮膚温度は、より高い精度で推測される。
【０１４８】
具体的には、本実施の形態においては、生体計測部２によって計測された風速がゼロのときの末梢部分の皮膚温度Ｃからユーザの属性情報を推測する。この風速がゼロのときの皮膚温度は、送風機１を駆動部６が駆動していないときのユーザの皮膚温度である。
【０１４９】
次に、図２９を用いて、実施の形態２−３の睡眠環境制御システム１０の睡眠環境制御処理２−３を説明する。
【０１５０】
図２９に示される睡眠環境制御処理２−３は、ステップＳ２２がステップＳ２２ａ１およびステップＳ２２ａ２からなる２つのステップに置き換えられている点において、図２４に示される睡眠環境制御処理２−１と相違している。この相違点以外においては、睡眠環境制御処理２−３は、睡眠環境制御処理２−１と同一である。
【０１５１】
図２９に示されるように、睡眠環境制御処理２−３においては、ステップＳ２２ａ１において、だるさ判定部４は、生体計測部２によって計測された風速がゼロの状態のユーザの末梢部分の皮膚温度を取得する。それにより、だるさ判定部４は、風速がゼロの状態のユーザの末梢部分の皮膚温度に対応するユーザの属性情報ｋをデータベースＤＢ２（図２８参照）から抽出する。
【０１５２】
次に、ステップＳ２２ａ２において、だるさ判定部４は、データベースＤＢ（図１９参照）から抽出されたユーザの属性情報ｋに対応するグループｋに属するデータテーブルをデータベースＤＢから読み出す。データベースＤＢに記憶されたユーザの属性情報ｋに対応するデータテーブルのそれぞれには、風速Ａｋｋに対応する体幹部分の皮膚温度Ｂｋｋの情報が記憶されている。
【０１５３】
したがって、だるさ判定部４は、ステップＳ２３およびステップＳ２４において、環境計測部３によって計測された風速Ａｋｋを用いて、体幹部分の皮膚温度Ｂｋｋの値を取得することができる。このことは、前述の実施の形態２−１および実施の形態２−２と同様である。
【０１５４】
以上から分かるように、実施の形態２−３の睡眠環境制御システム１０によっても、実施の形態２−１の睡眠環境制御システム１０と同様に、ユーザが感じるだるさのレベルが高くなった場合に、送風機１の合計風量Ｙｋを減少させることができる。その結果、ユーザが起床時にだるさを感じることを抑制することができる。
【０１５５】
前述の実施の形態２−３の睡眠環境制御システム１０の構成は、実施の形態２−２の睡眠環境制御システム１０に組み込むことも可能である。これは、実施の形態２−４の睡眠環境制御システム１０として、次に説明される。
【０１５６】
（実施の形態２−４）
次に、図３０および図３１を用いて、実施の形態２−４の睡眠環境制御システム１０の構成を説明する。
【０１５７】
図３０に示されるように、実施の形態２−４の睡眠環境制御システム１０は、図２５に示される実施の形態２−２の睡眠環境制御システム１０と比較して、選択部８を備えていないことが相違している。また、図３０に示されるように、実施の形態２−４の睡眠環境制御システム１０は、図２５に示される実施の形態２−２の睡眠環境制御システム１０と比較して、データベースＤＢに加えて、他のデータベースＤＢ２を備えていることが相違している。
【０１５８】
本実施の形態のデータベースＤＢ２の構成は、図２８に示される実施の形態２−３の睡眠環境制御システム１０のデータベースＤＢ２の構成と同様である。
【０１５９】
次に、図３１を用いて、実施の形態２−４の睡眠環境制御システム１０の睡眠環境制御処理２−４を説明する。
【０１６０】
図３１に示される睡眠環境制御処理２−４は、ステップＳ２２がステップＳ２２ａ１およびステップＳ２２ａ２からなる２つのステップに置き換えられている点において、図２６に示される睡眠環境制御処理２−２と相違している。この相違点以外においては、睡眠環境制御処理２−４は、睡眠環境制御処理２−２と同一である。
【０１６１】
睡眠環境制御処理２−４においては、ステップＳ２２ａ１において、だるさ判定部４は、生体計測部２によって計測された風速がゼロの状態のユーザの末梢部分の皮膚温度を取得する。それにより、だるさ判定部４は、風速がゼロの状態のユーザの末梢部分の皮膚温度に対応するユーザの属性情報ｋをデータベースＤＢ２（図２８参照）から抽出する。
【０１６２】
次に、ステップＳ２２ａ２において、だるさ判定部４は、データベースＤＢ２から抽出されたユーザの属性情報ｋに対応するグループｋのデータテーブルをデータベースＤＢ（図１９参照）から読み出す。データベースＤＢに記憶されたユーザの属性情報ｋに対応するデータテーブルのそれぞれには、図１９に示されるように、風速Ａｋｋに対応する体幹部分の皮膚温度Ｂｋｋの情報が記憶されている。
【０１６３】
したがって、だるさ判定部４は、ステップＳ２３ａおよびステップＳ２４ａにおいて、送風機１の駆動状態に対応した風速Ａｋｋを用いて、体幹部分の皮膚温度Ｂｋｋを取得することができる。このことは、前述の実施の形態２−２と同様である。
【０１６４】
実施の形態２−４の睡眠環境制御システム１０によっても、実施の形態２−２の睡眠環境制御システム１０と同様に、ユーザが感じるだるさのレベルが高くなった場合に、送風機１の合計風量を減少させることができる。したがって、ユーザが起床時にだるさを感じることを抑制することができる。
【０１６５】
（上記した実施の形態のそれぞれの構成同士の組合せ）
上記した実施の形態の睡眠環境制御システム１０のそれぞれの構成同士は、互い組合せることによって互いの機能に支障が生じないかぎり、互いに組合せることが可能である。
【０１６６】
以下、本発明の実施の形態の睡眠環境制御システム１０の特徴的構成およびそれにより得られる効果を記載する。以下に記載する睡眠環境制御システムは、各実施の形態には直接記載されていない組合せであるが、互いに組合せることが可能である構成同士の組合せも含まれている。
【０１６７】
（１）  実施の形態１の睡眠環境制御システム１０は、送風機１、生体計測部２、および制御部（コンピュータ）９を備えている。送風機１は、風速、風向き、および運転間隔の少なくともいずれか１つを変更することによって、特定方向における単位時間あたりの合計風量を変化させる。生体計測部２は、送風機１のユーザが感じるだるさと相関がある生体情報を計測する。制御部９は、生体計測部２により計測されただるさと相関がある生体情報を用いて、送風機１を制御する。
【０１６８】
制御部９は、だるさ判定部４と駆動部６とを含んでいる。だるさ判定部４は、だるさと相関がある生体情報の値とユーザが感じるだるさのレベルとが対応するという前提条件の下で、だるさと相関がある生体情報の値に基づいて、だるさのレベルを判定する。駆動部６は、だるさ判定部４によって判定されただるさのレベルが高くなった場合に、合計風量を減少させるように送風機１を駆動する。
【０１６９】
上記の構成によれば、ユーザが感じるだるさのレベルが高くなった場合に、送風機１の合計風量を減少させることができる。したがって、ユーザに送られる送風機１の合計風量が多過ぎることに起因してユーザが起床時にだるさを感じることを抑制することができる。
【０１７０】
（２）  実施の形態１の睡眠環境制御システム１０は、ユーザの周囲の環境情報を計測する環境計測部３をさらに備えていることが好ましい。この場合、駆動部６は、環境計測部３により計測された環境情報を取得し、環境情報から特定されるユーザが感じる不快指数が高いほど合計風量が多くなるように、合計風量を異なった態様で減少させることが好ましい。
【０１７１】
上記の構成によれば、だるさのレベルに対応するように送風機１の合計風量を減少させているときに、ユーザが不快に感じることを抑制することができる。
【０１７２】
（３）  実施の形態１の睡眠環境制御システム１０においては、生体計測部２は、送風機１のユーザの睡眠状態と相関がある生体情報を計測することが好ましい。この場合、制御部９は、睡眠状態判定部５を備えていること好ましい。睡眠状態判定部５は、生体計測部２によって計測された睡眠状態と相関がある生体情報の値が予め定められた睡眠状態であるか否かを区切る閾値のいずれの側にあるかを判定する。それにより、ユーザが睡眠しているか否かが判定される。制御部９は、睡眠状態判定部５によってユーザが睡眠していると判定された場合に、だるさと相関がある生体情報を用いて送風機１を制御することが好ましい。
【０１７３】
上記の構成によれば、ユーザが睡眠状態になっている場合に、送風機１の合計風量を自動的に減少させることができる。したがって、睡眠状態になる前にユーザが自ら睡眠状態中の送風機１の制御を設定する必要がない。ただし、ユーザが睡眠状態になる前にユーザが自ら上記した睡眠状態中の送風機１の制御をするか否かを選択するための操作部が設けられていてもよい。
【０１７４】
（４）  実施の形態１のだるさ判定部４は、だるさと相関がある生体情報の値に基づいて、だるさのレベルが予め定められた複数のレベルのうちのいずれに属するのかを判定してもよい。この場合、駆動部６は、だるさ判定部４によって判定されただるさのレベルが高くなるごとに、合計風量を段階的に減少させるように、送風機１を駆動することが好ましい。
【０１７５】
上記の構成によれば、だるさのレベルに応じて送風機１の合計風量を減少させることができる。したがって、ユーザの睡眠環境をきめ細かく制御することができる。
【０１７６】
（５）  実施の形態１の睡眠環境制御システム１０においては、駆動部６は、だるさのレベルが低くなるときには、だるさのレベルが最も低くなるまで、だるさのレベルが低くなる前の合計風量を維持するように、送風機１を駆動してもよい。この場合、駆動部６は、だるさのレベルが最も低くなったときに、最も低いだるさのレベルに対応する合計風量まで、合計風量を一気に増加させるように、送風機１を駆動してもよい。
【０１７７】
上記の構成によれば、上記の構成によれば、送風機１から送り出される風にゆらぎが生じるため、ユーザに快適感を与えることができる。
【０１７８】
（６）  実施の形態１の睡眠環境制御システム１０においても、駆動部６は、だるさのレベルが低くなるごとに、合計風量を段階的に増加させるように、送風機１を駆動してもよい。
【０１７９】
上記の構成によれば、だるさのレベルが高くなるときのみならず、だるさのレベルが低くなるときにおいても、だるさのレベルと送風機１の合計風量とを対応させることができる。したがって、睡眠環境をよりきめ細かく制御することができる。
【０１８０】
（７）  実施の形態２−１の睡眠環境制御システム１０は、送風機１、生体計測部２、環境計測部３、データベースＤＢ、だるさ判定部４、および制御部９を備えている。送風機１は、風速、風向き、および運転間隔の少なくともいずれか１つを変更することによって、特定方向における単位時間あたりの合計風量を変化させる。生体計測部２は、送風機１のユーザの末梢部分の皮膚温度を計測する。環境計測部３は、ユーザの周囲の環境情報を計測する。制御部９は、生体計測部２によって計測された末梢部分の皮膚温度と環境計測部３によって計測された環境情報とを用いて、送風機１を制御する。
【０１８１】
制御部９は、データベースＤＢと、だるさ判定部４と、駆動部６とを含んでいる。データベースＤＢは、複数の環境情報を、それぞれ、複数の体幹部分の皮膚温度に関連付けて記憶している。だるさ判定部４は、末梢部分の皮膚温度と環境情報とに基づいて、ユーザが感じるだるさのレベルを判定する。駆動部６は、だるさ判定部４によって判定された結果に基づいて、送風機１を駆動する。
【０１８２】
だるさ判定部４は、環境情報に関連付けられた体幹部分の皮膚温度をデータベースＤＢから抽出する。だるさ判定部４は、末梢部分の皮膚温度から体幹部分の皮膚温度を引算する。だるさ判定部４は、引算された結果の値が大きな値から小さな値へいくほどだるさのレベルが高いという前提条件の下で、引算された結果の値に基づいてだるさのレベルを判定する。駆動部６は、だるさ判定部４によって判定されただるさのレベルが高くなった場合に、合計風量を減少させるように送風機１を駆動する。
【０１８３】
前述の引算された結果の値は、正の値になることもあれば、負の値になることもある。
【０１８４】
上記の構成によっても、ユーザが感じるだるさのレベルが高くなった場合に、送風機１の合計風量を減少させることができる。したがって、ユーザに送られる送風機１の合計風量が多過ぎることに起因してユーザが起床時にだるさを感じることを抑制することができる。
【０１８５】
（８）  実施の形態２−１の睡眠環境制御システム１０のデータベースＤＢにおいては、複数の環境情報および複数の体幹部分の皮膚温度は、複数種類のユーザ属性情報にそれぞれ関連付けられた複数種類のグループに分類されていることが好ましい。この場合、睡眠環境制御システム１０は、複数種類のユーザ属性情報のうちのいずれか１つを選択することによって、複数種類のグループのうちのいずれか１つのグループを選択するための選択部８を備えていることが好ましい。だるさ判定部４は、選択部８によって選択された１つのグループから、環境計測部３よって計測された環境情報に関連付けられた体幹部分の皮膚温度を抽出することが好ましい。
【０１８６】
上記の構成によれば、ユーザは、自身の属性情報を選択することができるため、自身の好みに合わせて、睡眠中の送風機１の駆動状態を決定することができる。
【０１８７】
（９）  実施の形態２−３（２−１の変形例）の睡眠環境制御システム１０のデータベースＤＢにおいては、複数の環境情報および複数の体幹部分の皮膚温度は、複数種類のユーザ属性情報にそれぞれ関連付けられた複数種類のグループに分類されていてもよい。制御部９は、複数種類のグループが、それぞれ、送風機１が生成する風の速度がゼロの状態における複数の末梢部分の皮膚温度に関連付けられて記憶された他のデータベースＤＢ２をさらに備えていてもよい。この場合、だるさ判定部４は、送風機１が生成する風の速度がゼロの状態において生体計測部２によって計測された末梢部分の皮膚温度を取得してもよい。だるさ判定部４は、複数種類のグループから、送風機１が生成する風の速度がゼロの状態の末梢部分の皮膚温度に関連付けられた１つのグループを選択してもよい。だるさ判定部４は、選択された１つのグループから、環境計測部３によって計測された環境情報に関連付けられた体幹部分の皮膚温度の値を抽出してもよい。
【０１８８】
上記の構成によれば、制御部９は、ユーザの主観的な判断ではなく、送風機１が生成する風の速度がゼロの状態における末梢部分の皮膚温度という客観的なデータに基づいて、体幹部分の皮膚温度を推測することができる。したがって、制御部９による体幹部分の皮膚温度の推測の精度を向上させることができる。
【０１８９】
（１０）  実施の形態２−１の睡眠環境制御システム１０においても、生体計測部２は、送風機１のユーザの睡眠状態と相関がある生体情報を計測することが好ましい。この場合、制御部９は、睡眠状態判定部５を備えていること好ましい。睡眠状態判定部５は、生体計測部２によって計測された睡眠状態と相関がある生体情報の値予め定められた睡眠状態であるか否かを区切る閾値のいずれの側にあるかを判定する。それにより、ユーザが睡眠しているか否かが判定される。制御部９は、睡眠状態判定部５によってユーザが睡眠していると判定された場合に、末梢部分の皮膚温度と環境情報とを用いて送風機１を制御することが好ましい。
【０１９０】
上記の構成によれば、ユーザが睡眠状態になっている場合に、送風機１の合計風量を自動的に減少させることができる。したがって、睡眠状態になる前にユーザが自ら睡眠状態中の送風機１の制御を設定する必要がない。ただし、ユーザが睡眠状態になる前にユーザが自ら上記した睡眠状態中の送風機１の制御をするか否かを選択するための操作部が設けられていてもよい。
【０１９１】
（１１）  実施の形態２−２の睡眠環境制御システム１０は、送風機１、生体計測部２、データベースＤＢ、だるさ判定部４、および制御部９を備えている。送風機１は、風速、風向き、および運転間隔の少なくともいずれか１つを変更することによって、特定方向における単位時間あたりの合計風量を変化させる。生体計測部２は、送風機１のユーザの末梢部分の皮膚温度を計測する。制御部９は、生体計測部２によって計測された末梢部分の皮膚温度と送風機１が生成する風の速度に対応する送風機１の駆動状態の情報とを用いて、送風機１を制御する。
【０１９２】
制御部９は、データベースＤＢと、だるさ判定部４と、駆動部６とを含んでいる。データベースＤＢは、複数の送風機１の駆動状態の情報を、それぞれ、複数の体幹部分の皮膚温度に関連付けて記憶している。だるさ判定部４は、末梢部分の皮膚温度と送風機１の駆動状態の情報とに基づいて、ユーザが感じるだるさのレベルを判定する。駆動部６は、だるさ判定部４によって判定された結果に基づいて、送風機１を駆動する。
【０１９３】
だるさ判定部４は、送風機１の駆動状態の情報を取得し、それによって、送風機１の駆動状態の情報に関連付けられた体幹部分の皮膚温度をデータベースＤＢから抽出する。だるさ判定部４は、末梢部分の皮膚温度から体幹部分の皮膚温度を引算する。だるさ判定部４は、引算された結果の値が大きな値から小さな値へいくほどだるさのレベルが高いという前提条件の下で、引算された結果の値に基づいてだるさのレベルを判定する。駆動部６は、だるさ判定部４によって判定されただるさのレベルが高くなった場合に、合計風量を減少させるように送風機１を駆動する。
【０１９４】
上記の構成によっても、ユーザが起床時に感じるだるさのレベルが高くなった場合に、送風機１の合計風量を減少させることができる。したがって、ユーザに送られる送風機１の合計風量が多過ぎることに起因してユーザが起床時にだるさを感じることを抑制することができる。
【０１９５】
（１２）  実施の形態２−２の睡眠環境制御システム１０は、前述のようにデータベースＤＢを備えていてもよい。データベースＤＢにおいては、複数の送風機１の駆動状態の情報および複数の体幹部分の皮膚温度は、複数種類のユーザ属性情報にそれぞれ関連付けられた複数種類のグループに分類されていることが好ましい。この場合、睡眠環境制御システム１０は、選択部８を備えていることが好ましい。選択部８は、複数種類のユーザ属性情報のうちのいずれか１つを選択することによって、複数種類のグループのうちのいずれか１つのグループを選択するためのものである。だるさ判定部４は、選択部８によって選択された１つのグループから、送風機１の駆動状態の情報に関連付けられた体幹部分の皮膚温度を抽出することが好ましい。
【０１９６】
上記の構成によれば、ユーザは、自身の属性情報を選択することができるため、自身の好みに合わせて、睡眠中の送風機１の駆動状態を決定することができる。
【０１９７】
（１３）  実施の形態２−４（２−２の変形例）の睡眠環境制御システム１０は、前述のようにデータベースＤＢを備えていてもよい。データベースＤＢにおいては、複数の送風機１の駆動状態の情報および複数の体幹部分の皮膚温度は、複数種類のユーザ属性情報にそれぞれ関連付けられた複数種類のグループに分類されていてもよい。制御部９は、複数種類のグループが、それぞれ、送風機１が生成する風の速度がゼロの状態における複数の末梢部分の皮膚温度に関連付けられて記憶された他のデータベースＤＢ２をさらに備えていてもよい。この場合、だるさ判定部４は、送風機１が生成する風の速度がゼロの状態において生体計測部２によって計測された末梢部分の皮膚温度を取得してもよい。だるさ判定部４は、複数種類のグループから、末梢部分の皮膚温度に関連付けられた１つのグループを選択してもよい。だるさ判定部４は、選択された１つのグループから、送風機１の駆動状態に関連付けられた体幹部分の皮膚温度を抽出してもよい。
【０１９８】
上記の構成によれば、制御部９は、ユーザの主観的な判断ではなく、送風機１が生成する風の速度がゼロの状態における複数の末梢部分の皮膚温度という客観的なデータに基づいて、体幹部分の皮膚温度を推測することができる。したがって、制御部９による体幹部分の皮膚温度の推測の精度を向上させることができる。
【０１９９】
（１４）  実施の形態２−２の睡眠環境制御システム１０においても、生体計測部２は、送風機１のユーザの睡眠状態と相関がある生体情報を計測することが好ましい。この場合、制御部９は、睡眠状態判定部５を備えていることが好ましい。睡眠状態判定部５は、生体計測部２により計測された睡眠状態と相関がある生体情報の値予め定められた睡眠状態であるか否かを区切る閾値のいずれの側にあるかを判定する。それにより、ユーザが睡眠しているか否かが判定される。制御部９は、睡眠状態判定部５によってユーザが睡眠していると判定された場合に、末梢部分の皮膚温度と送風機１の駆動状態の情報とを用いて送風機１を制御することが好ましい。
【０２００】
上記の構成によれば、ユーザが睡眠状態になっている場合に、送風機１の合計風量を自動的に減少させることができる。したがって、睡眠状態になる前にユーザが自ら睡眠状態中の送風機１の制御を設定する必要がない。ただし、ユーザが睡眠状態になる前にユーザが自ら上記した睡眠状態中の送風機１の制御をするか否かを選択するための操作部が設けられていてもよい。
【０２０１】
（１５）  実施の形態２のだるさ判定部４は、引算された結果の値に基づいて、だるさのレベルが予め定められた複数のレベルのうちのいずれに属するのかを判定することが好ましい。この場合、駆動部６は、だるさ判定部４によって判定されただるさのレベルが高くなるときは、だるさのレベルが高くなるごとに、合計風量を段階的に減少させるように、送風機１を駆動することが好ましい。
【０２０２】
上記の構成によれば、だるさのレベルに応じて送風機の合計風量を減少させることができる。したがって、ユーザの睡眠環境をきめ細かく制御することができる。
【０２０３】
（１６）  実施の形態２の睡眠環境制御システム１０においても、駆動部６は、だるさのレベルが低くなるときには、だるさのレベルが最も低くなるまで、だるさのレベルが低くなる前の合計風量を維持するように、送風機１を駆動してもよい。この場合、駆動部６は、だるさのレベルが最も低くなったときに、最も低いだるさのレベルに対応する合計風量まで、合計風量を一気に増加させるように、送風機１を駆動してもよい。
【０２０４】
上記の構成によれば、送風機から送り出される風にゆらぎが生じるため、ユーザに快適感を与えることができる。
【０２０５】
（１７）  実施の形態２の睡眠環境制御システム１０においても、駆動部６は、だるさのレベルが低くなるごとに、合計風量を段階的に増加させるように、送風機１を駆動してもよい。
【０２０６】
上記の構成によれば、だるさのレベルが高くなるときのみならず、だるさのレベルが低くなるときにおいても、だるさのレベルと送風機１の合計風量とを対応させることができる。したがって、睡眠環境をよりきめ細かく制御することができる。
【０２０７】
（１８）  実施の形態１の睡眠環境制御プログラムは、実施の形態１の睡眠環境制御システム１０に設けられた制御部９をコンピュータとして動作させるためのものである。
【０２０８】
（１９）  実施の形態２−１の睡眠環境制御プログラムは、実施の形態２−１の睡眠環境制御システム１０に設けられた制御部９をコンピュータとして動作させるためのものである。
【０２０９】
（２０）  実施の形態２−２の睡眠環境制御プログラムは、実施の形態２−２の睡眠環境制御システム１０に設けられた制御部９をコンピュータとして動作させるためのものである。
【０２１０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
本出願は、２０１４年３月２０日に出願された日本出願の特願２０１４−０５８４１６号および２０１４年９月２６日に出願された特願２０１４−１９６８３５号に基づく優先権を主張し、それらの日本出願に記載された全ての記載内容を援用によって引用するものである。
【符号の説明】
【０２１１】
１  送風機
２  生体計測部
３  環境計測部
４  だるさ判定部
５  睡眠状態判定部
６  駆動部
７  記憶部
７ａ  睡眠環境制御プログラム
８  選択部
９  制御部（コンピュータ）
ＤＢ  データベース
ＤＢ２  他のデータベース
【図１】
2015141109.tif 000003
【図２】
2015141109.tif 000004
【図３】
2015141109.tif 000005
【図４】
2015141109.tif 000006
【図５】
2015141109.tif 000007
【図６】
2015141109.tif 000008
【図７】
2015141109.tif 000009
【図８】
2015141109.tif 000010
【図９】
2015141109.tif 000011
【図１０】
2015141109.tif 000012
【図１１】
2015141109.tif 000013
【図１２】
2015141109.tif 000014
【図１３】
2015141109.tif 000015
【図１４】
2015141109.tif 000016
【図１５】
2015141109.tif 000017
【図１６】
2015141109.tif 000018
【図１７】
2015141109.tif 000019
【図１８】
2015141109.tif 000020
【図１９】
2015141109.tif 000021
【図２０】
2015141109.tif 000022
【図２１】
2015141109.tif 000023
【図２２】
2015141109.tif 000024
【図２３】
2015141109.tif 000025
【図２４】
2015141109.tif 000026
【図２５】
2015141109.tif 000027
【図２６】
2015141109.tif 000028
【図２７】
2015141109.tif 000029
【図２８】
2015141109.tif 000030
【図２９】
2015141109.tif 000031
【図３０】
2015141109.tif 000032
【図３１】
2015141109.tif 000033
【国際調査報告】
2015141109.tif 000034
2015141109.tif 000035